(57)【要約】【課題】領域形成部を透明部とする樹脂製の遊技盤本体を有しつつ良好な外観を備える遊技盤を提供する。【解決手段】領域形成部５１１を有するとともに合成樹脂を用いて構成される前方板状部６００と、後方板状部とが前後に配設されて構成され、前方板状部６００が透明部とされる遊技盤本体と、領域形成部５１１に植設される障害釘８０と、を備える遊技盤を製造する。障害釘８０が釘下穴５７０に対して、障害釘と釘下穴の穴底部との間に隙間を形成する隙間部５７０Ｓを形成する状態に打ち込まれている。【選択図】図２９
2011240191.tif 000002
【特許請求の範囲】
【請求項１】
前面部に遊技領域が形成される領域形成部を有するとともに合成樹脂を用いて構成され、少なくとも前記領域形成部が透明部とされる遊技盤本体と、
前記領域形成部に形成される釘下穴に打ち込まれて前記領域形成部に植設される障害釘と、
を備える遊技盤であって、
前記釘下穴が前記領域形成部の前面部で開口する有底穴として形成されるとともに、
前記障害釘が前記釘下穴に対して、該障害釘と該釘下穴の穴底部との間に隙間部を形成する状態に打ち込まれていることを特徴とする遊技盤。
【請求項２】
請求項１に記載の遊技盤を備えることを特徴とする遊技機。
【発明の詳細な説明】
【技術分野】
【０００１】
本発明は、遊技盤及び遊技機に関し、特に、いわゆるセブン機、羽根物、権利物又はアレンジボール等の弾球遊技機に対して適用される。
【背景技術】
【０００２】
弾球遊技機は、（１）外枠と、（２）外枠に開放動作が可能な状態で装着される中枠と、（３）中枠の保持部によって前面部を遊技者の方向に向けた状態に保持される遊技盤と、（４）遊技盤の前面部を覆うガラス板を具備し、中枠の前面部側に開放動作が可能な状態で装着される前面枠（ガラス扉枠）と、（５）中枠の前面部側のうちで遊技盤の保持位置よりも下方側の部位に、開放動作が可能な状態で装着される上皿部材等を備えている。
【０００３】
この遊技盤は、板状に構成される遊技盤本体と、遊技盤本体に装着される盤部品（レール、入賞装置、入球ゲート、障害釘等  ）とを備えている。つまり、遊技盤本体の前面部には複数本若しくは１本のレールが立設状に装着され、遊技盤の前面部うちでレールによって略円形、略楕円形、若しくは、長円形等に略取り囲まれた部位が、遊技領域とされる。そして、この遊技領域内に各種の入賞装置、入球ゲート、画像表示装置が配設されるとともに、多数の障害釘が植設されている。
【０００４】
この種の遊技機においては、木材（合板）製の遊技盤が伝統的に用いてきたが、近年においては、透明な合成樹脂を用いて構成される遊技盤も用いられる傾向にある。つまり、遊技盤全体を透明な樹脂板で構成し、この樹脂板の後方に「大型の表示画面（例えば、１５、１７若しくは２０インチ）」を配設するとともに、この「大型の表示画面」の全域を遊技盤の前方から透視可能とした遊技機が提案されている（「特許文献１」を参照、以下、「従来例１」という）。この遊技機によると、遊技者が遊技球の動きを視認しつつ、遊技盤後方の大型の表示画面を透視することができる。
【０００５】
ところが、従来例１のように、遊技盤全体を透明な樹脂板で構成する場合、遊技盤を木材（合板）で構成する場合に比べてその製造コストが高くなる等の問題を有している。このため、本出願人は、「遊技盤のうちで前面側に位置する前方板状部」を「透明な樹脂板」で構成し、「遊技盤のうちで後面側に位置する後方板状部」を「他の素材からなる板状体（ＡＢＳ樹脂板）」で構成する旨の提案を行っている（「特許文献２」を参照、以下、「従来例２」という）。
【先行技術文献】
【特許文献】
【０００６】
【特許文献１】特開２００５−１５２５７９号公報
【特許文献２】特開２００７−２６７９５８号公報
【発明の概要】
【発明が解決しようとする課題】
【０００７】
この従来例２に記載の遊技盤においては以下の点を改良することが望ましい。つまり、前方板状部及び後方板状部を前後に積層した積層構造の遊技盤においても、木材製の遊技盤と同様に、遊技領域内の所望の箇所に障害釘を植設することが必要となる。この場合、遊技盤、ひいては、遊技機の製造コストを高騰を避けるために、「木材製の遊技盤（以下、「在来型遊技盤」という。）に障害釘を植設するために使用されている設備」をそのまま使用可能であることが望ましい。つまり、「前方板状部に透明部を備える遊技盤」においてその製造コストの高騰を招くような改良を加えることなく、しかも、「在来型遊技盤に障害釘を打ち込むための使用されている釘打装置（以下、「従来型の釘打装置」という。）」をそのまま使用可能であることが望ましい。
【０００８】
しかし、従来例２においては前方板状部が薄肉（例えば、在来型遊技盤の半分の肉厚）の樹脂板で構成されるため、この「釘打装置」を用いて障害釘の打ち込みを行うと、前方板状部に「割れ」等の不具合を生ずる可能性がある。一方、前方板状部に対してその板厚方向に貫通する下穴を設ければ、前方板状部の「割れ」等を防止可能であると考えられるが、この場合、遊技盤の外観の低下を招く可能性がある。すなわち、障害釘を下穴に向かって打ち込むと、障害釘が「下穴の内壁部（前方板状部において下穴の内壁部を構成する部位）」を削ることになる。このとき、「削りカス」が、前方板状部と後方板状部との境界部に溜まり、遊技盤の外観（前方から視認したときの外観）が低下する可能性を生ずるからである。
【０００９】
本発明は、このような問題を解決するためになされたものであり、その目的とするところは、「領域形成部を透明部とする樹脂製の遊技盤で、しかも、簡易に、しかも的確に製造できる遊技盤」と、かかる遊技盤を備える遊技機を提供することである。
【課題を解決するための手段】
【００１０】
請求項１に記載の遊技盤は、
前面部に遊技領域が形成される領域形成部を有するとともに合成樹脂を用いて構成され、少なくとも前記領域形成部が透明部とされる遊技盤本体と、
前記領域形成部に形成される釘下穴に打ち込まれて前記領域形成部に植設される障害釘と、
を備える遊技盤であって、
前記釘下穴が前記領域形成部の前面部で開口する有底穴として形成されるとともに、
前記障害釘が前記釘下穴に対して、該障害釘と該釘下穴の穴底部との間に隙間部を形成する状態に打ち込まれていることを特徴とする。
【００１１】
請求項１の発明の遊技盤は、「少なくとも領域形成部が透明部とされる遊技盤（領域透明型遊技盤）」であるが、有底の釘下穴を用いて障害釘を領域形成部に植設するため、簡易に製造することができる。例えば、「従来型の釘打装置」をそのまま使用しつつ、前方板状部に「割れ」等の不具合を生ずることなく、簡易に製造することができる。また、請求項１の発明の遊技盤においては、障害釘を釘下穴に打ち込む際に生じた「削りカス」が隙間部に収納されるため、良好な外観を備えるとともに、障害釘の打込量の適正化を図ることができる。
【００１２】
請求項２に記載の遊技機は、
請求項１に記載の遊技盤を備えることを特徴とする。
【００１３】
領域形成部を透明部とする樹脂製の遊技盤を有しつつつ良好な外観を備え、しかも、簡易に、しかも的確に製造できる遊技盤を備える遊技機を得ることができる。
【００１４】
請求項２の発明の遊技機は、例えば、（１）外枠と、（２）略扉型に構成されるとともに、外枠の左右方向に沿った一側に、開放動作が可能な状態で装着される中枠と、（３）この中枠の保持部によって、前面部を前方に向けた状態で、しかも、着脱自在な状態に保持される遊技盤（請求項１の発明の遊技機）と、（４）略扉型に構成されると共に、遊技盤の前面部を覆う透明板（例えば、ガラス板）を具備し、中枠の前面部側に開放動作が可能な状態で装着される前面枠（ガラス扉枠）と、（５）略扉状に構成されるとともに、中枠の前面部側のうちで遊技盤の保持位置よりも下方側の部位に、開放動作が可能な状態で装着され、遊技機内から排出される遊技球を貯留するための上皿部材等を備えている。
【００１５】
参考発明１（本明細書において参考的に開示される発明、以下、「参考発明」という）に記載の遊技盤の製造方法は、
前面部に遊技領域が形成される領域形成部を有するとともに合成樹脂を用いて構成される前方板状部と、１枚の略板状体若しくは前後に重ね合わさせた状態に配設される複数枚の略板状体を用いて構成される後方板状部と、が前後に配設されて略板形状に構成され、前記前方板状部のうちの少なくとも前記領域形成部が透明部とされる遊技盤本体と、
前記領域形成部に植設される障害釘と、
を備える遊技盤を製造するための遊技盤の製造方法であって、
前記領域形成部に対して前記領域形成部の前面部で開口する有底の釘下穴を形成する釘下穴形成工程と、
該釘下穴形成工程を経た前方板状部と、前記後方板状部とを前後に配設して前記遊技盤本体を構成する本体構成工程と、
前記障害釘を、前記本体構成工程を経た前方板状部の釘下穴に対して、該障害釘と該釘下穴の穴底部との間に隙間部を形成する状態に打ち込んで前記植設を行う植設工程と、
を備えることを特徴とする。
【００１６】
参考発明１の発明によると、有底の釘下穴を用いて障害釘を領域形成部に植設するため、「前方板状部のうちの少なくとも領域形成部が透明部とされる遊技盤（以下、「領域透明型遊技盤」と称する。）」を簡易に製造できる。例えば、「従来型の釘打装置」をそのまま使用しつつ、前方板状部に「割れ」等の不具合を生ずることなく、「領域透明型遊技盤」を簡易に製造できる。
【００１７】
また、参考発明１の発明では、有底の釘下穴に打ち込まれる障害釘と、釘下穴の穴底部との間に隙間部が形成され、障害釘を釘下穴に打ち込むことで生ずる「削りカス（障害釘が釘下穴の内壁を削ることで生じたカス）」を隙間部に収納することができる。従って、前方板状部と後方板状部との境界部に到達することはないため、良好な外観を備える遊技盤を得ることができる。
【００１８】
更に、参考発明１の発明では、「削りカス」を隙間部に収納することができるため、障害釘の打込量の適正化を図ることが容易である。つまり、「木材が削られて生ずる削りカス（以下、「木製削りカス」という。）」であれば、障害釘（障害釘の先端部等）で「木製削りカス」を圧縮変形させること等が容易なため、障害釘と釘下穴の穴底部との間に隙間部を形成しない態様を採用したとしても、障害釘の打込量の適正化を図ることが容易である。一方、「合成樹脂が削られて生ずる削りカス」は、「木製削りカス」に比べて弾性が低く、障害釘（障害釘の先端部等）で圧縮変形させること等が困難である。ところが、参考発明１の発明では、「釘下穴内の削りカス」は隙間部に逃がされ、「障害釘の打込」の邪魔にならないため、障害釘の打込量が不足すること等が防止される。従って、参考発明１の発明によると、遊技盤を的確に製造することができる。
【００１９】
参考発明２に記載の遊技盤の製造方法は、参考発明１に記載の遊技盤の製造方法において、
前記本体構成工程を経て形成された遊技盤本体の板厚が基準値であるか否かを測定する板厚測定工程が、前記植設工程に先だって行われることを特徴とする。
【００２０】
参考発明２の発明は、前述の「従来型の釘打装置」をより円滑に利用し、「領域透明型遊技盤」をより簡易に製造することを意図している。つまり、「従来型の釘打装置」を備える釘打設備は、遊技盤本体に障害釘への打ち込みを行う際に、この遊技盤本体を保持するための保持手段（例えば、アタッチメント等）を備えている。ところが、「領域透明型遊技盤」を構成する遊技盤本体（以下、「領域透明型遊技盤本体」という。）の厚みが、従来型の遊技盤を構成する遊技盤本体（以下、「在来型の遊技盤本体」という。）の厚みと異なるとすると、「領域透明型遊技盤本体への釘の打ち込みを行う場合」と、「従来型の遊技盤本体への釘の打ち込みを行う場合」とで保持手段（例えば、アタッチメント等）の設定を変えることが必要となる。
【００２１】
一方、参考発明２の発明では、植設工程に先だって、「領域透明型遊技盤本体」の板厚が基準値であるか否かが測定される。つまり、参考発明２の発明では、例えば、「領域透明型遊技盤本体」の板厚が、「在来型の遊技盤本体」の板厚（基準値の具体例）であるか否かを測定する。従って、植設工程を行う際に、「従来型の釘打装置」の保持手段の設定を、「在来型の遊技盤本体へ障害釘を打ち込む場合の設定」から変更することが必要とされない。このため、参考発明２の発明は、前述の「従来型の釘打装置」をより円滑に利用し、「領域透明型遊技盤」をより簡易に製造することができる。
【００２２】
尚、本出願書類において特に断らない場合、「前」及び「表」は、「遊技機を基準とする前方（つまり、遊技者に近接する方向）」を示し、「後」及び「裏」は、遊技機を基準とする後方（つまり、遊技者から離間する方向）」を示す。また、「左」とは、遊技者から見て「左」であることを示し、「右」とは「遊技者から見て右」であることを示す。更に、中枠等の扉型の部材の「左」、「右」、「前」、「後」等は、これらの扉型部材が使用状態にある場合、つまり、閉鎖された状態にある場合を基準としたものである。
【００２３】
各請求項等の発明において「領域形成部」とは、「遊技盤のうちで、前面部を遊技領域を形成することになる部位」を指す。つまり、各請求項の発明の遊技盤の前面部（つまり、前方板状部の前面部）には、２本の「金属製若しくは樹脂製のレール（つまり、外側レールと内側レール）」が、一方の側縁部を当接させ、しかも、略円弧状に湾曲されつつ、前方に突出する状態に配置される。すなわち、遊技盤の前面部には、例えば、（Ａ）長尺で金属製（若しくは樹脂製）の帯状板を、開口部を下方若しくは側方に向けた略円弧形状（Ｃの字状）としつつ配置して構成される外側レールと、（Ｂ）外側レールの配置箇所の内側において、長尺で金属製（若しくは樹脂製）の帯状板を、開口部を上方に向けた略円弧形状（Ｃの字状）としつつ配置して構成される内側レールと、が配設される。そして、この遊技盤の前面部において、外側レールと内側レールとが略円形、略楕円形、若しくは、長円形等に略取り囲む部位が遊技領域であるが、「前方板状部のうちで、その前面部を遊技領域とする部位」が「領域形成部」である。
【００２４】
各参考発明の発明では、前方板状部のうちで透明部とされる部位を種々選択でき、例えば、前方板状部のうちの遊技領域部のみを透明部としてもよいし、前方板状部の全域が透明部とされてもよい。また、各請求項の発明において「透明部」には、「無色透明な透明部」のみならず、「有色透明な透明部」等も含まれる。更に、各請求項の発明では、この前方板状部の構成素材を種々例示でき、例えば、アクリル樹脂（アクリル樹脂製の板）、ポリカーボネート樹脂（ポリカーボネート樹脂）等を例示できる。
【００２５】
各参考発明の発明の「後方板状部」は、単一（１枚）の略板状体で構成されてもよいし、前後に重ね合わされる複数枚の略板状体を用いて構成されてもよい。例えば、「後方板状部」を単一の合成樹脂板、単一の木製板（例えば、合板）、若しくは、単一の金属板で構成してもよい。また、複数枚の合成樹脂板、複数枚の木製板（例えば、合板）、若しくは、複数枚の金属板を前後に重ね合わせて構成してもよい。更に、合成樹脂板、木製板及び金属板から選ばれる２枚若しくは３枚以上を前後に重ね合わせて構成してもよい。
【００２６】
各参考発明の発明の「後方板状部」において、領域形成部の後方に位置する部位には、前後に貫通する画面視認用貫通部（窓部）を設ける。そして、この画面視認用貫通部によって画像表示装置（例えば、液晶表示装置）の表示画面が、透明部を透かして前方から視認可能とされてもよい。すなわち、表示画面を「前方から視て画面視認用貫通部が構成する枠内（窓枠）に収まるように」配置する。より具体的には、表示画面を「画面視認用貫通部の後方における枠内」、「画面視認用貫通部の後端縁内側」、「画面視認用貫通部の前後方向中間部における画面視認用貫通部の枠内」若しくは「画面視認用貫通部の前端縁内側」に配設することで、表示画面を前方から視認可能としてもよい。また、表示画面を「画面視認用貫通部の後方における枠内」若しくは「画面視認用貫通部の後端縁内側」に配設する場合には、画像表示装置を後方板状部の後面部に固着することもできる。
【００２７】
尚、画面視認用貫通部（窓部）のサイズを、例えば、以下のように定めることができる。つまり、「画面視認用貫通部の横方向に沿った幅（Ｐ）と、遊技領域（領域形成部）の横方向に沿った幅（Ｑ）の比（Ｐ／Ｑ）が、４／１０〜９／１０のうちの何れかとされ、画面視認用貫通部の縦方向に沿った幅（Ｒ）と、遊技領域（領域形成部）の縦方向に沿った幅（Ｓ）の比（Ｒ／Ｓ）が、４／１０〜９／１０のうちの何れかとされる」ように定めることができる。また、「画像表示装置」としては、液晶表示装置の他に、ＣＲＴ、ドットマトリックス、エレクトロルミネセンス、蛍光表示管等を用いた画像表示装置や、複数個のランプ装置を用いて構成される画像示装置等を例示できる。
【００２８】
また、各参考発明の発明では、「後方板状部の前面部」、「前方板状部の後面部」、若しくは、「後方板状部の前面部と前方板状部の後面部との間」に「視覚的な装飾手段」を設けることができる。この「視覚的な装飾手段」としては、「セル画等が描かれた装飾用シート」を例示できる。つまり、装飾用シートを「後方板状部の前面部」若しくは「前方板状部の後面部」に装着（貼着等）する態様や、「後方板状部の前面部と前方板状部の後面部」によって装飾用シートを挟持する態様等を例示できる。
【００２９】
この装飾用シートの装着範囲は種々選択でき、例えば、対象となる箇所（後方板状部の前面部や前方板状部の後面部）の全域であってもよいし、領域形成部の後方のみであってもよい。但し、何れの場合においても、後方板状部が前述の画面視認用貫通部を備える場合には、表示画面の視認性を確保することが必要となる。この場合、例えば、装飾用シートにおいて画面視認用貫通部と前後に位置合わせ（連通）される部位を貫通部としたり、装飾用シートにおいて画面視認用貫通部と前後に位置合わせされる箇所を透明な部分とすること等で対処することができる。
【００３０】
また、「視覚的な装飾手段」は、この装飾用シートに限定されない。例えば、「後方板状部の前面部」や「前方板状部の後面部」にセル画等を描いたり、セル画等を印刷することで、「視覚的な装飾手段」を構成することもきる。
【００３１】
各参考発明の発明は、このような「視覚的な装飾手段」との関係で大きな意義を有している。蓋し、障害釘の先端部が「視覚的な装飾手段」に到達しない構造を採用するため、視覚的な連続性を確保することができるからである。
【００３２】
尚、各参考発明の発明では、前方板状部と後方板状部とが積層されて遊技盤本体を構成するが、前述のように、前方板状部と後方板状部との間には装飾用シートが介在されてもよい。また、後方板状部を複数枚の略板状体で構成する場合、前方板状部に対して、個々の略板状体を順次装着して遊技盤本体を構成してもよいし、予め複数枚の略板状体を積層して後方板状部としてから、前方板状部と、この後方板状部とを積層して遊技盤本体を構成してもよい。
【００３３】
各請求項等の発明の「障害釘」は、その先端部を先頭に配置し、後端部を後方に配置した状態で領域形成部に対してその前方から打ち込まれて、遊技領域を流下する遊技球の流下（落下）方向に変化を与えるものである。また、各請求項の発明の「障害釘」は、領域形成部に埋設される埋設部（打込部）と、領域形成部の前方に突出する突出部とを備えている。更に、埋設部は「障害釘の先端部を含む部分」であるが、その外周部にアンカー部（例えば、螺旋状のアンカー部）を設けることができる。つまり、「障害釘」を「スクリュー釘」として構成することもできる。すなわち、埋設部にアンカー部を形成することで、埋設部（打込部）が「釘下穴」に対して回転したり、埋設部（打込部）が「釘下穴」から誤って抜脱することを防止することができる。
【００３４】
尚、「埋設部」の先端側（釘下穴への打込方向に沿った先頭側）には、埋設部の先端部に向かって外径が徐々に縮径されるテーパ部を設けてもよい。但し、各請求項等の発明では、「領域形成部に予め形成された釘下穴」を用いて障害釘の植設を行う構成であるため、このテーパ部を敢えて設けなくても、障害釘の植設を円滑に行うことができる。
【００３５】
各請求項等の発明の「釘下穴」は、領域形成部に対してその前面部で開口する状態に形成される「有底穴」である。この「釘下穴」の断面形状は、例えば、略円形ろされ、その軸心方向は、例えば、領域形成部の前方に向かって僅かに（１度〜５度のうちの何れかの角度、特に、２度若しくは３度）上がり傾斜とされる。
【００３６】
また、各請求項等の発明においては、「埋設部」の外径が「釘下穴」の内径よりも大きくされる。但し、アンカー部の最大外径が、釘下穴の内径よりも大きくされれば、埋設部の他の部分（アンカー部を除く部分）の外径が、釘下穴の内径よりも小さくされてもよい。尚、各請求項等の発明が適用される障害釘の可撓性を、「在来型遊技盤に植設される障害釘（以下、「在来型の障害釘」という。）の可撓性よりも高くすることが望ましい。蓋し、領域透明型遊技盤は、前方板状部と後方板状部とを前後に積層して構成されるとともに、障害釘は前方板状部のみに打ち込まれる。このため、「各請求項等の発明が適用される障害釘」を構成する埋設部は、「在来型の障害釘」を構成する埋設部よりも短く（例えば、半分の長さ）になる。しかも、前者の埋設部が埋め込まれる前方板状部は、後者の埋設部が植設される「在来型の遊技盤を構成する木材（合板）」よりも弾性に乏しい。ところが、「各請求項等の発明が適用される障害釘」においても、円滑な釘調整（パチンコホールで行う釘調整）を行うためには、障害釘自体が十分な弾性を備えることが必要となるからである。
【００３７】
各請求項等の発明においては、釘下穴に打ち込まれた障害釘の先端部と、釘下穴の穴底部とを離れた状態とすることで、障害釘と穴底部の間に隙間部を形成することができる。但し、障害釘の先端部側を特殊形状とする場合、釘下穴に打ち込まれた障害釘の先端部と釘下穴の穴底部とが当接しても、障害釘と穴底部の間に隙間部を形成することができる。例えば、障害釘の先端部側が、先端部に向かって外径を徐々に縮径させるテーパ部とされる場合には、釘下穴に打ち込まれた障害釘の先端部と釘下穴の穴底部とが当接しても、障害釘と穴底部の間に隙間部を形成することができる。
【発明の効果】
【００３８】
以上記述したように、請求項１の発明によると、領域形成部を透明部とする樹脂製の遊技盤を簡易に、しかも的確に製造できる。また、請求項２の発明によると、領域形成部を透明部とする樹脂製の遊技盤であり、簡易に、しかも的確に製造できる遊技盤を備える遊技機が得られる。
【図面の簡単な説明】
【００３９】
【図１】本発明の各実施例に係る遊技機を示す斜視図である。
【図２】本発明の各実施例に係る遊技機において、遊技盤を示す正面図である。
【図３】本発明の各実施例に係る遊技機において、中枠を説明するための概略的な説明図である。
【図４】本発明の各実施例に係る遊技機において、中枠を説明するための概略的な背面図である。
【図５】（ａ）は図４の１−１断面図、（ｂ）は中枠が遊技盤を保持した状態を説明するための説明図、（ｃ）は図４の２−２断面図、（ｄ）は中枠が遊技盤を保持した状態を説明するための説明図である。
【図６】中枠が遊技盤を保持した状態を説明するための概略的な背面図である。
【図７】本発明の各実施例に係る遊技機において、遊技盤を示す正面図である。
【図８】本発明の各実施例に係る遊技機において、遊技盤を示す斜視図である。
【図９】実施例１の遊技盤の分解斜視図（但し、背板部を除く）である。
【図１０】図７の遊技盤を構成する前方板状部の正面図である。
【図１１】図７の遊技盤を構成するベース部の正面図である。
【図１２】図７の遊技盤を構成するベース部の斜視図である。
【図１３】図７の遊技盤を構成する背板部の正面図である。
【図１４】流下経路変更部材の正面図である。
【図１５】流下経路変更部材と、遊技盤を説明するための縦断面図である。
【図１６】図７のａ−ａ断面図である。
【図１７】図７のｂ−ｂ断面図である。
【図１８】中央表示装置（画像表示装置）の固着方法を説明するための説明図である。
【図１９】障害釘と釘下穴を説明するための説明図である。
【図２０】障害釘と釘下穴を説明するための説明図である。
【図２１】（ａ）は本発明の各実施例において、左下表示装置の概略的な正面図であり、（ｂ）は本発明の実施例において、右下表示装置の概略的な正面図である。
【図２２】本発明の各実施例に係る遊技機において、遊技盤を示す背面図である。
【図２３】本発明の実施例に係る電子制御装置を示すブロック図である。
【図２４】本発明の実施例に係る電子制御装置を示すブロック図である。
【図２５】本発明の実施例に係る電子制御装置を示すブロック図である。
【図２６】本発明の実施例に係る遊技盤の製造工程を説明するためのフロー図である。
【図２７】本発明の実施例に係る遊技盤の製造工程を説明するための説明図である。
【図２８】本発明の実施例に係る遊技盤の製造工程を構成する釘打工程を説明するための説明図である。
【図２９】本発明の実施例において隙間部を説明するための説明図である。
【図３０】本実施例の比較例を説明するための説明図である。
【図３１】変形例を説明するための説明図である。
【発明を実施するための形態】
【００４０】
以下、発明を実施するための最良の形態を示す実施例について図面に基づいて説明する。以下に示す各実施例では、各請求項に係る発明を、「セブン機」と称する遊技機（パチンコ機）１に適用した各具体例について説明する。
【００４１】
（１）機械的な構造
ａ．遊技機の前面側の全体構造
先ず、この遊技機１の全体構造について、図１〜図７を参照して説明する。この遊技機１は、図１及び図２に示すように、外枠２と、この外枠２に装着された遊技機本体Ｈと、を備えている。このうち、外枠２は、図３に示すように、パチンコホールの島設備Ｓに設けられた設置部位Ｓ１に固定されると共に、遊技機本体Ｈを支持するためのものである。この外枠２は、略矩形状の枠状体によって構成される外枠本体２１（図１及び２を参照）と、外枠本体２１の前面下部を覆う前板部２２と、を備えている。このうち、外枠本体２１は、上下に一対の水平板２１ａと、左右に一対の立設板２１ｂと、を備えている（図１を参照）。そして、両水平板２１ａは、上下に所定の間隔をおいて立設配置されると共に、左右方向に長尺とされている。また、両立設板２１ｂは、左右に所定の間隔をおいて立設配置されると共に、上下方向に長尺とされている。 
【００４２】
遊技機本体Ｈは、外枠２の左端側上下のヒンジＨ１、Ｈ２（図１を参照）を用いて、外枠２の左端側に回動自在に組み付けてられている。この遊技機本体Ｈは、遊技機１のうちで外枠２を除く部分であって、図１に示すように、中枠３と、前面枠（ガラス扉枠）４と、上皿部材５と、下皿部材６と、遊技盤１０（図７を参照）と、裏機構盤１０２（図２２を参照）等を主要部としている。
【００４３】
中枠３は、ベース枠部材の具体例を構成するものであり、図３に示すように、外枠２の内側に嵌めこまれ、外枠２に対して開閉可能に軸支されている。尚、中枠３の右端側には、施錠装置７が装着されている。この施錠装置７は、中枠３を外枠２に施錠したり、前面枠４や上皿部材５を中枠３に施錠するために用いられる。
【００４４】
中枠３は、全体がプラスチック製であり、図４及び図５に示すように、枠状体によって構成されている。この中枠３は、上半部に窓部３Ａを備える枠本体部３ｂと、枠本体部３ｂの裏面部から略矩形枠状に突出する突出部３ｃとを備える。この突出部３ｃは、枠本体部３ｂの裏面部のうちで、枠本体部３ｂの周縁部よりも内側であって、窓部３Ａよりも外側の部位から突出している。そして、突出部３ｃの内側の壁面部３ｄと、枠本体部３ｂの裏面部のうちの窓部３Ａに周辺に位置すると共に壁面部３ｄよりも内側に位置する部位（以下、「窓部周辺部」という。）３ｅとが、略直交する状態とされる。
【００４５】
突出部３ｃの突端面であって、窓部３Ａの左方側の上下と、窓部３Ａの右方側の上下には、保持具３ｆが装着されている。この保持具３ｆは、突出部３ｃの突端面に軸心を略直交させた軸部材３ｇと、この軸部材３ｇによって支持された保持具本体３ｈとを備えている。この保持具本体３ｈは、軸部材３ｇの軸心回りに回転可能な状態とされ、その突端部３ｉ側を、窓部周辺部３ｅの後方に出没させることができる。つまり、保持具本体３ｈは、軸部材３ｇの軸心回りに回転することで、突端部３ｉ側を窓部周辺部３ｅの後方に配置させる保持状態（図４等を参照）と、突端部３ｉ側を窓部周辺部３ｅの後方から退避させる解除状態と、を実現することができる。また、突出部３ｃの壁面部３ｄにおいて、窓部３Ａの左右に位置する複数の箇所には、位置決め用段部３ｍが設けられている（図４を参照）。
【００４６】
本実施例では、突出部３ｃの内側の壁面部３ｄと、枠本体部３ｂの「窓部周辺部」３ｅとで、「遊技盤１０を保持するための保持部（３ｄ、３ｅ）」を構成し、保持具３ｆによって遊技盤１０（詳細は後述する。）の保持状態を維持している。つまり、図５（ｂ）及び（ｄ）に示すように、遊技盤１０（詳細は後述する。）は、前面部１０ａを前方に向けた状態（後面部１０ｂを後方に向けた状態）で、保持部（３ｄ、３ｅ）に装着される。尚、この装着作業の際、保持具本体３ｈは解除状態とされる。そして、この装着により、遊技盤１０の前面部１０ａにおける上縁側の部位が、窓部周辺部３ｅにおいて、窓部３Ａの上方に位置する部位に当接する。また、遊技盤１０の前面部１０ａにおける右側縁側の部位が、窓部周辺部３ｅにおいて、窓部３Ａの右側方（中枠３を前方から見た場合の右側方）に位置する部位に当接し、遊技盤１０の前面部１０ａにおける左側縁側の部位が、窓部周辺部３ｅにおいて、窓部３Ａの左側方（中枠３を前方から見た場合の左側方）に位置する部位に当接する。
【００４７】
この際、遊技盤１０の左右の側部に設けられた段部１０ｃが、位置決め用段部３ｍに嵌合し（図６を参照）、遊技盤１０が、保持部（３ｄ、３ｅ）に位置合わせされる。この保持具本体３ｈを保持状態とすると、この保持具本体３ｈによって、遊技盤１０の保持部（３ｄ、３ｅ）からの抜け止めが図られる｛図５（ｄ）を参照｝。これにより、遊技盤１０が、保持部（３ｄ、３ｅ）に保持される。そして、このように、中枠３が遊技盤１０を保持したとき、「遊技盤１０の前面部１０ａに構成される遊技領域１１」を、窓部３Ａによって、中枠３の前方から視認することができる（図７を参照）。また、遊技盤１０の背面部には、裏機構盤１０２（図２２参照）が装着され、この背面部を覆う状態とされている。尚、裏機構盤１０２の詳細に関しては後述する。
【００４８】
図７に示すように、中枠３の前面部３ａのうちで、窓部３Ａよりも下方側の部位（遊技盤１０よりも下方側の部位）には、遊技球を遊技盤１０に発射する発射装置（図示を省略）と、遊技球を発射ユニットに供給するための球送り装置（図示を省略）と、発射装置から発射された遊技球を外レール１４（後述する。）に向かって誘導する発射レールＹとが配設されている。尚、発射レールＹは、中枠３の下方側において、左方向に向かって上がり傾斜状に設けられている。
【００４９】
前面枠４は、ガラス扉枠の具体例を構成するものであり、図１に示すように、中枠３の前面側に配置され、中枠３の左端に開閉可能に支持されている。この前面枠４は、扉枠本体４１と、ガラス板４３と、ガラス板４３を扉枠本体４１に保持させる（取り付ける）ための保持部材（図示を省略）と、を備えている。尚、保持部材を扉枠本体４１に対して一体的に設けることもできる。
【００５０】
扉枠本体４１は、レンズ状のプラスチックを主体に構成され、円形状の開口部４１ａを有している。この開口部４１ａは、扉枠本体４１の前面部及び後面部を貫通する状態に設けられている。そして、前面枠４を閉じた状態としたときに、前面枠４の奥側（背後）に配置される遊技盤１０の盤面（遊技領域１１）を、前方（遊技者の側）から視認可能とするためのものである。つまり、この開口部４１ａは、遊技盤１０に形成された遊技領域１１（図７参照）の形状に対応して、略円周状に開設されている。
【００５１】
図２に示すように、前面枠４において、開口部４１ａの周縁の部位には、各種のＬＥＤ基板４ｂ、４ｃ、４ｄ、４ｅ、４ｆ、４ｇ、４ｈが内蔵されている。また、何れのＬＥＤ基板４ｂ〜４ｈも、プリント配線基板と、プリント配線基板に搭載された複数のＬＥＤランプと、を備えている。そして、これらのＬＥＤ基板４ｂ〜４ｈを構成するＬＥＤランプは、目的（遊技効果を高める目的、賞球を報知する目的、当該遊技機１にエラーを生じたことを報知する目的）に応じて、点灯及び消灯したり、点滅する。
【００５２】
図１及び図２に示すように、前面枠４の上端部側の左右には、各々、スピーカーＳＰ１、ＳＰ２（図２４参照）が内蔵されている。また、本遊技機１においては、前板部２２の左右両端にも、スピーカーＳＰ３、ＳＰ４（図２４参照）が内蔵されている。このため、本遊技機１においては、前面部の４隅にスピーカーＳＰ１〜ＳＰ４を配置することで、「４ウェイのスピーカーシステム」を構成している。そして、本遊技機１においては、これらのスピーカーＳＰ１〜ＳＰ４を用いて、遊技状態に応じた効果音その他の音（音声）を発生させる。
【００５３】
遊技機本体Ｈの前面部のうちで、前面枠３の下方の部位が、上皿部材５と下皿部材６とを備える構成とされている。つまり、上皿部材５は、前面枠３の下方に配置され、下皿部材６は上皿部材５の下方に配置されている。また、上皿部材５は、遊技機１の内部の遊技球を、この上皿部材５に排出するための排出口５ｂ等を備えている。
【００５４】
尚、上皿部材５の裏側には、球貸表示基板４１０（図２３参照）及び演出ボタン基板２２８（図２４参照）が設けられ、上皿部材５の上面部には「球貸操作部５ｃ」と、操作スイッチＳＷとが配置されている。また、上皿部材５の外郭部分も、レンズ状のプラスチックを主体され、上皿部材５の内部にも、ＬＥＤ基板４ｉが内蔵されている（図２を参照）。
【００５５】
図１及び図２に示すように、下皿部材６の略中央には、遊技機１の内部から遊技球を排出するための排出口６ａが設けられている。また、下皿部材６の左端には灰皿６ｂが設けられ、下皿部材６の右端には発射ハンドル９が設けられている。また、下皿部材６の底面には球抜き孔（図示を省略）が設けられている。この球抜き孔は、通常時には、閉鎖されているが、下皿部材６に貯留された遊技球を遊技機１から排出する際に開放状態とされる。
【００５６】
発射ハンドル９は、発射装置ユニット（図示を省略）に接続されている。この発射ハンドル９には、遊技者がハンドルに触れていることを検出するタッチスイッチ９ａが装着されており、その近傍には、遊技球の発射を一時的に停止するための発射停止スイッチ９ｂが装着されている。また、前述の施錠装置７は、正面視すると鍵穴を備えた略長方形状を呈し、前面枠４を閉鎖した場合に施錠するためのものである。更に、遊技機１の左端側には、プリペイドカードユニットが設けられている（図示を省略）。
【００５７】
ｂ．遊技盤１０の構成
次に、遊技盤１０の構成について図７〜図２１を用いて説明する。この遊技盤１０は、前述のように、中枠３（図４を参照）の保持部（３ｄ、３ｅ）に保持されるとともに、後述する裏機構盤１０２（図２２参照）によりその背面側が覆われている。
【００５８】
この遊技盤１０は、図７及び図８に示すように、略板状に構成される遊技盤本体（以下、「盤本体」という。）１０Ｈと、この遊技盤１０に装着された盤部品（後述する始動入賞装置１７、下部装置３０、左下表示装置５０、右下表示装置６０、一般入賞装置４０、４１、４３、４４、外側レール１２及び内側レール１３、障害釘８０等）とを備えている。
【００５９】
盤本体１０Ｈの前面部１０ａには、図７に示すように、ともに帯状の金属板を用いて構成される外側レール１２と、内側レール１３とが配設されている。尚、外側レール１２及び内側レール１３を、帯状の樹脂板（ＡＢＳ製の板）を用いて構成することもできる。
【００６０】
盤本体１０Ｈの前面部（表面部）１０ａにおいて、この外側レール１２及び内側レール１３が形成する略楕円形の周壁によって構成される部位が、遊技領域１１を構成している。このため、本実施例では、遊技領域１１の外縁部の形状が略楕円形（長軸；４６２ｍｍ、短軸；４２４ｍｍ）とされるが、外縁部の形状は「略円形」等、の他の形状であってもよい。また、本実施例の外側レール１２は、「右側方に開口する略Ｕ字状の経路を描く、略帯状体」によって構成され、本実施例の内側レール１３は、「上方に開口する略Ｕ字状の経路を描く、略帯状体」によって構成されている。
【００６１】
盤本体１０Ｈは、図８に示すように、前方板状部５００と、後方板状部５８０と、を着脱可能に積層して構成される積層板を用いて構成されている。また、前方板状部５００及び後方板状部５８０の平面形状（前方から視認した平面形状）は、何れも、遊技盤１０の平面形状（前方から視認した平面形状）と等しくされている。但し、本実施例では、前方板状部５００の後面部５００ｂに、装飾シート６２０が装着されている（図１６及び図１７を参照）。
【００６２】
前方板状部５００は、遊技盤１０の前面部１０ａの部位を構成する板状体であり、その前面部５００ａによって盤本体１０Ｈの前面部１０ａを構成する。また、この前方板状部５００は、透明な樹脂板を用いて構成され、図９及び図１０に示すように、上端部側の左右と、下端部側の左右とに、位置決め孔５０１、５０１、５０１、５０１を貫通状（前面部５００ａ及び後面部５００ｂを貫通する状態）に備えている。
【００６３】
ここで、前方板状部５００を構成する「透明な樹脂板」としては、「アクリル板（アクリル樹脂からなる板状体）」や、「ポリカーボネート板（ポリカーボネート樹脂からなる板状体）」等を例示できる。尚、「アクリル樹脂からなる板状体」とは、「メタクリル酸エステル（特に、メタクリル酸メチル）」、及び／又は、「アクリル酸エステル」を主成分として含有する（樹脂成分全体の５０重量％〜１００重量％含有する）樹脂からなる板状体を指す。また、「アクリル板（アクリル樹脂からなる板状体）」を用いた場合、例えば、「９０〜９２％の光透過率（可視領域での光透過率）」を得ること（クリスタルガラスに匹敵する光透過率を得ること）も可能なため、より好適な前方板状部５００を得ることができる。
【００６４】
図１０に示すように、前方板状部５００の左右の端面には、複数の段部５０２が設けられている。また、前方板状部５００の前面部５００ａには、外側レール１２（外側レール１２の一方の側縁部）が当接する部位（以下、「外側当接部位」という。）１２ｔと、内側レール１３（内側レール１３の一方の側縁部）が当接する部位（以下、「内側レール当接部位」という。）１３ｔとが、存在する。そして、外側当接部位１２ｔは、右側方に開口する略Ｕ字状の経路を描いており（図１０において破線で表示）、内側レール当接部位１３ｔは、上方に開口する略Ｕ字状の経路（図１０において破線で表示）を描いている。尚、後述する図１１においては、説明の便宜のため、外側当接部位１２ｔの後方に位置する部位を「破線Ｌ１」で示し、内側レール当接部位１３ｔの後方に位置する部位を「破線Ｌ２」で示している。
【００６５】
この前方板状部５００において、外側当接部位１２ｔと内側レール当接部位１３ｔとで囲まれた略楕円形（正面視で略楕円形）の領域形成部５１１である。そして、領域形成部５１１の前面部によって遊技領域１１が形成される。また、領域形成部５１１には、始動入賞球通過孔５０３ａと、大入賞球通過孔５０３ｂと、４つの一般入賞球通過孔５０３ｃ、５０３ｅ、５０３ｇ、５０３ｈと、アウト球通過孔５０３ｋとが貫通状（前面部５００ａ及び後面部５００ｂを貫通する状態）に設けられている。
【００６６】
また、図１０に示すように、領域形成部５１１には多数の釘下穴５７０が形成されている（図７〜図９においては図示を省略）。この釘下穴５７０は、図１９に示すように、領域形成部５１１の前面部５１１ａで開口する「有底穴」として構成されている。つまり、この「有底穴」は、領域形成部５１１の前面部５１１ａに開口部５７１を配置し、領域形成部５１１の後面部５１１ｂに近接する位置（後面部５１１ｂと約１．５ｍｍの位置）に穴底部５７２を配置している。
【００６７】
この釘下穴５７０は前後に（領域形成部５１１の肉厚方向に）軸心Ｊ１を配置するとともに、直径が軸心Ｊ１に沿って一定（１．８２ｍｍ）の略円柱形の空間形状を有している。但し、釘下穴５７０の軸心Ｊ１は前方（遊技者方向）に向かって僅かに（約２度の上がり勾配）で上がり傾斜となっている。
【００６８】
尚、前方板状部５００において、外側当接部位１２ｔに沿った複数箇所には取付孔（図示を省略）が、前方板状部５００を貫通する状態に形成されている。そして、外側レール１２はその一方の側縁部（盤本体１０Ｈに当接する側縁部）から所定の間隔をおいて突出する取付突起１２Ｔ（図８を参照）を、この取付孔に嵌合することで前方板状部５００に固定されている。また、前方板状部５００において、内側レール当接部位１３ｔに沿った複数箇所にも、取付孔（図示を省略）が、前方板状部５００を貫通する状態に形成されている。そして、内側レール１３もその一方の側縁部（盤本体１０Ｈに当接する側縁部）から所定の間隔をおいて突出する取付突起１３Ｔ（図８を参照）を、この取付孔に嵌合することで前方板状部５００に固定されている。更に、領域形成部５１１の適所には、その他の盤部品（始動入賞装置１７、下部装置３０、左下表示装置５０、右下表示装置６０、一般入賞装置４０、４１、４３、４４等）を固定（ネジ止め固定、カシメ固定）するための、盤部品固定穴が設けられているが図示を省略する。
【００６９】
図１０に示すように、領域形成部５１１の上下方向中間部の左右には、ワープ進入孔５０３Ｒ、５０３Ｓが、貫通状（前面部５００ａから後面部５００ｂに下り傾斜状に貫通する状態）に設けられている（図８においては図示を省略）。また、領域形成部５１１において、各ワープ進入孔５０３Ｒ、５０３Ｓの直下の部位には、ワープ排出孔５０３Ｔ、５０３Ｕが、貫通状（後面部５００ｂが前面部５００ａに下り傾斜に貫通する状態）に設けられている。
【００７０】
後方板状部５８０は、図８及び図９に示すように、遊技盤１０の後面部側の部位を構成する板状体であり、前方板状部５００と略同一の正面形状（正面から見た外縁形状）を備えている。また、図８に示すように、後方板状部５８０の左右の端面にも、複数の段部５８２が設けられている。そして、本実施例では、この後方板状部５８０を、ベース部６００と背板部６６０とを前後に積層配置した「２層構造」に構成している。但し、図９においては、背板部６６０の図示を省略した。
【００７１】
ベース部材６００は、前方板状部５００よりも剛性が高く、しかも不透明な樹脂板（例えば、ＡＢＳ製の板等）を用いて構成されている。また、図９及び図１１に示すように、このベース部６００の前面部６００ａにおいて、各位置決め孔５０１、５０１、５０１、５０１と前後に位置合わせされる部位からは、位置決め突起６０１、６０１、６０１、６０１が前方に向かって突出している（図１１では、ハッチングを用いて表示）。そして、前方板状部５００とベース部６００とを積層すると、各位置決め突起６０１、６０１、６０１、６０１は、対応する位置決め孔５０１、５０１、５０１、５０１に嵌合される。このとき、各位置決め突起６０１の突端部は、前方板状部５００の前面部５００ａと略面一となる。
【００７２】
図１１に示すように、ベース部６００のうちで、領域形成部５１１の後方に配置される部位（以下、「領域後方部」という。）６０５Ｂには、始動入賞球通過孔６０３ａと、大入賞球通過孔６０３ｂと、４つの一般入賞球通過孔６０３ｃ、６０３ｅ、６０３ｇ、６０３ｈと、アウト球通過孔６０３ｋと、が貫通状（前面部６００ａ及び後面部６００ｂを貫通する状態）に設けられている。
【００７３】
図１２に示すように、ベース部６００の後面部６００ｂにおいて、各通過孔（始動入賞球通過孔６０３ａ、大入賞球通過孔６０３ｂ、各一般入賞球通過孔６０３ｃ、６０３ｅ、６０３ｇ、６０３ｈ、アウト球通過孔６０３ｋ）が開口する部位には、遊技球案内用のリブ６０３ｒが突出している。尚、図示を省略するが、ベース部６００の後面部６００ｂには、遊技球集合部材が装着される。そして、各通過孔（始動入賞球通過孔６０３ａ、大入賞球通過孔６０３ｂ、各一般入賞球通過孔６０３ｃ、６０３ｅ、６０３ｇ、６０３ｈ、アウト球通過孔６０３ｋ）を通じて、ベース部６００の後方（遊技盤１０の後方）に到達する遊技球が、遊技球集合部材の端末部（遊技球の通過方向に沿った端末部）に導かれる。
【００７４】
図１１等に示すように、ベース部６００の略中央部には、略矩形状の画面視認用貫通部（以下、「貫通部」という。）６１１が、貫通状に（ベース部６００の前面部６００ａと、後面部６００ｂとを貫通する状態に）設けられている（図１６及び図１７を参照）。ここで、図１１に示すように、本実施例において、この貫通部６１１のサイズが以下のように定められている。つまり、貫通部６１１の横方向に沿った幅（Ｐ）は、約３３７．５ｍｍとされ、貫通部６１１の縦方向に沿った幅（Ｒ）は、約２７２．３ｍｍとされている。一方、本遊技機１を構成する遊技盤１０の遊技領域１１の縦方向に沿った幅の最大寸法（Ｓ）は約４６２ｍｍとされ、遊技領域１１の横方向に沿った幅の最大寸法（Ｑ）は約４２４ｍｍとされている。
【００７５】
このため、比（Ｐ／Ｑ）は約０．８０とされ、比（Ｒ／Ｓ）は約０．５９とされている。換言すると、貫通部６１１の開口面積は、遊技領域１１の全面積の約６０％とされている。このように、この後方板状部６００には大型の貫通部６１１を設けられているが、後方板状部６００の後面部６００ｂの面積（画面視認用貫通部６１１を除く、後方側の部位）が、十分に確保されている。尚、後述する中央表示装置２７（画像表示装置である。）が固着される被固着部位は、この後面部６００ｂから選択される。また、ベース部６００には、各通過孔（始動入賞球通過孔６０３ａ、大入賞球通過孔６０３ｂ、各一般入賞球通過孔６０３ｃ、６０３ｅ、６０３ｇ、６０３ｈ、アウト球通過孔６０３ｋ）を構成するための貫通孔（前面部６００ａ及び後面部６００ｂを貫通する状態の貫通孔）が設けられている。
【００７６】
背板部６６０は、図１３に示すように、薄肉の金属板(ベース部６００よりも肉厚が薄い金属板）を用いて構成される枠体であり、ベース部６００の後面部６００ｂに重ね合わされている（図１６及び図１７を参照）。この背板部６６０は、正面から見た外縁形状をベース部材６００と略一致させているともに、内側に開口部６６０ａを備えている。そして、前述のベース部６００と、背板部６６０とが前後に積層されて後方板状部５８０が構成されるが、開口部６６０ａが大型に形成されているため（換言すると、背板部６６０が枠体であるため）、ベース部６００の後面部６００ｂの後方に配設される主要部材（前述の遊技球集合部材や、後述する中央表示装置２７）は、開口部６６０ａを通じて後方板状部５８０の後方に露呈している。尚、本実施例と異なり、後方板状部５８０を１枚の板状体（例えば、ベース部６００）のみで構成してもよいし、３枚以上の板状体を積層して構成してもよい。
【００７７】
図１６等に示すように、前方板状部５００の後面部５００ｂに装飾シート６２０が貼着され、前方板状部５００及び後方板状部６００が、この装飾シート６２０を挟み込んだ状態となっている。つまり、盤本体１０Ｈは、装飾シート６２０を挟み込んだ状態で、前方板状部５００と後方板状部６００とを前後に積層した状態に構成されている。但し、装飾シート６２０は前方板状部５００の後面部５００ｂの全域に配設されているのではなく、前方板状部５００や後方板状部６００に設けられた各孔の機能を阻害しない範囲に配設されている。つまり、前方板状部５００の後面部５００ｂのうちで、「各位置決め孔５０１の形成箇所」と、「始動入賞球通過孔５０３ａの形成箇所」と、「大入賞球通過孔５０３ｂの形成箇所」と、「各一般入賞球通過孔５０３ｃ、５０３ｅ、５０３ｇ、５０３ｈの形成箇所」と、「アウト球通過孔５０３ｋの形成箇所」と、「貫通部６１１の前方（表面側）に位置する箇所」と、を除く部位に装飾シート６２０が貼着されている。
【００７８】
この装飾シート６２０は、樹脂製のシート基材に、図柄（所謂、セル画であって、例えば、「太陽の図形と、月の図形とを用いたセル画」）を印刷して構成されるものである。尚、本実施例では、装飾シート６２０が、遊技盤１０の前面部１０ａに配置されず、この装飾シート６２０上を遊技球が転動しないため、装飾シート６２０に経時的な劣化を生じないか、この経時的な劣化の度合いが少なくなる。また、本実施例と異なり、装飾シート６２０を後方板状部６００の前面部６００ａに貼着してもよいし、前方板状部５００の後面部５００ａや後方板状部６００の前面部６００ａに直接、図柄（セル画）を形成（印刷等）してもよい。更に、遊技盤１０の前面部１０ａに装飾シート６２０を貼着したり、この前面部１０ａに直接、図柄（セル画）を形成（印刷等）してもよい。
【００７９】
盤本体１０Ｈの構成部材（前方板状部５００、ベース部６００、背板部６６０、装飾シート６２０）は、例えば、以下のように組み付けられる。先ず、前方板状部５００の後面部５００ｂに装飾シート６２０を貼着する。次いで、前方板状部５００と、ベース部６００とを装飾シート６２０を介在させた状態で積層する。更に、ベース部６００の後面部６００ｂに背板部６６０を装着して、前方板状部５００と、装飾シート６２０と、ベース部６００と、背板部６６０とを前方から後方に並べた（配設した）積層体とすると、盤本体１０Ｈを完成する。
【００８０】
この組付に際しては、各位置決め孔５０１、５０１、５０１、５０１に、対応する位置決め突起６０１、６０１、６０１、６０１を嵌合させる。また、前方板状部５００の各通過孔（始動入賞球通過孔５０３ａ、大入賞球通過孔５０３ｂ、一般入賞球通過孔５０３ｃ、５０３ｅ、５０３ｇ、５０３ｈ、アウト球通過孔５０３ｋ）と、ベース部６００の対応する各通過孔（始動入賞球通過孔６０３ａ、大入賞球通過孔６０３ｂ、一般入賞球通過孔６０３ｃ、６０３ｅ、６０３ｇ、６０３ｈ、アウト球通過孔６０３ｋ）と、が前後に位置合わせされ、前後に連通するとともに、背板部６６０の開口部６６０ａを通じて後方に開放される。
【００８１】
また、この組付により、前方板状部５００の各段部５０２も、後方板状部５８０の対応する段部５８２と位置合わせされ、盤本体１０Ｈの段部１０ｃが完成する。また、左側のワープ進入孔５０３Ｒの出口部５０３１Ｒは、貫通部６１１の左端側上方部において後方に開口し、左側のワープ排出孔５０３Ｔの入口部５０３１Ｔは貫通部６１１の左端側上方部において後方に開口する（図１７を参照）。また、右側のワープ進入孔５０３Ｓの出口部５０３１Ｓは貫通部６１１の右端側上方部において後方に開口し、右側のワープ排出孔５０３Ｕの入口部５０３１Ｕは、画面視認用貫通部６１１の右端側下方部において後方に開口する（図１６を参照）。
【００８２】
図７に示すように、盤本体１０Ｈの前面部１０ａにおいて遊技領域１１内に位置する部位には、流下経路変更部材２０と、普通図柄作動ゲート（普通図柄作動口）１６と、始動入賞装置１７と、下部装置３０と、左下表示装置５０と、右下表示装置６０と、４個の一般入賞装置４０、４１、４３、４４と、多数の障害釘（図示を省略）と、風車（図示を省略）等が配設されている。また、図１２に示すように、ベース部６００の後面部６００ｂには、中央表示装置２７が固着されている。更に、遊技盤１０を前後に縦断する状態で、ワープ部材７０、７０が配設されている。
【００８３】
流下経路変更部材２０は、透明な樹脂を用いて構成されると共に、画面視認用貫通部６１１の外縁部の前方で、しかも、この外縁部よりも内側の部位に装着されている。この流下経路変更部材２０は、図１４に示すように、盤本体１０Ｈの前面部１０ａから前方に突出する壁部２１（遊技球の流下経路を変更するための壁部）を形成するための部材である。この流下経路変更部材２０は、樹脂を用いて構成されると共に枠形状を備えている。また、この流下経路変更部材２０は、図１５に示すように、前面部１０ａから前方に突出する状態に配置される壁部２１と、壁部２１の基端部から突出し、前面部１０ａに沿った方向に配置される取付代２２とを備えている。そして、この取付代２２を盤本体１０Ｈの前面部１０ａにネジ止めすることで、この流下経路変更部材２０は、盤本体１０Ｈに装着されている。
【００８４】
壁部２１は、図１４に示すように、上部を位置する庇部２１ａと、左右に位置する側壁部２１ｂ、２１ｃと、下部に位置するステージ部２１ｄとを備えている。このうち、庇部２１ａは、その上面部が、左右方向中間部から左右両端に下る「下り傾斜面」を形成している。このため、庇部２１ａの上面部に到達した遊技球は、この上面部に沿って、庇部２１ａの左右一方の端部側に転動するものとされている。
【００８５】
ステージ部２１ｄの突端部からは、「落下防止壁２１ｅ」が上方に向かって延設されている（図１７を参照）。また、このステージ部２１ｄは、その上面部によって、遊技球の転動面を構成する。この転動面は、「左右の端部から中央部に向かって下る傾斜面」として構成されている。そして、落下防止壁２１ｅの左右方向に沿った中央部には、ステージ部２１ｄの上面部（転動面）上の遊技球を、ステージ部２１ｄの外部に排出するための排出通路２１ｆが設けられている。尚、本実施例では、ステージ部２１ｄの上面部（転動面）に進入した遊技球は、上面部（転動面）上を左右に転動する。そして、遊技球の勢いを衰えたところで、この遊技球は、排出通路２１ｆを通過してステージ部２１ｄ外に排出されるか、或いは、「ステージ部２１ｄの上面部（転動面）において、落下防止壁２１ｅが低くされた部位」から、ステージ部２１ｄ外に排出される。尚、排出通路２１ｆの出口部の直下に、後述する始動入賞装置１７が位置している。
【００８６】
左側の側壁部２１ｂは、左方向に入口部を開口させ、右方向に出口部を開口させたワープ孔２１ｈを備えている。そして、図１７に示すように、このワープ孔２１ｈの出口部は、略管状のワープ連絡部材２１ｉ（透明な樹脂を用いて構成される。）を用いて、左側のワープ進入孔５０３Ｒに連絡されている（図１７を参照）。更に、この左側のワープ進入孔５０３Ｒの出口部５０３１Ｒは、左側のワープ部材７０（透明な樹脂を用いて構成される。）を用いて、左側のワープ排出孔５０３Ｔの入口部５０３１Ｔに連絡されている。更に、この「左側のワープ排出孔５０３Ｔの出口部」は、ステージ部２１ｄの上面部（転動面）の左端側に連絡されている。この左側のワープ部材７０は略管状に構成され、その中間部が、貫通部６１１内に進入している。
【００８７】
つまり、遊技盤１０には、左側のワープ進入孔５０３Ｒと、左側のワープ連絡部材２１ｉと、左側のワープ部材７０と、左側のワープ排出孔５０３Ｔとを用いて構成される「ワープ通路（「遊技領域１１に存在する遊技球を、一端、遊技領域１１の後方に搬送し、再び、遊技領域１１に戻す通路」の意味で用いる。）」の中間部が、画面視認用貫通部６１１内に進入すると共に、表示画面２７ａに近接する位置を通過している。即ち、左側の側壁部２１ｂの左側方に到達し、しかも、ワープ孔２１ｈに進入した遊技球は、左側のワープ連絡部材２１ｉを通過した後、左側のワープ進入孔５０３Ｒ、左側のワープ部材７０、左側のワープ排出孔５０３Ｔの順に通過する。この後、左側のワープ排出孔５０３Ｔの出口部からステージ部２１ｄの上面部（転動面）の左端側に到達する。更に、この左側のワープ通路（５０３Ｒ、２１ｉ、７０、５０３Ｔ）の内部が視認可能とされ（流下経路変更部材２０、ワープ連絡部材２１ｉ、ワープ部材７０が透明であるから）、遊技者は、このワープ通路（５０３Ｒ、２１ｉ、７０、５０３Ｔ）の内部を通過する遊技球を視認可能である。加えて、左側のワープ部材７０を通過する際に、遊技球は、貫通部６１１内を通過する。このため、本実施例では、「遊技球が、本遊技機１のうちで遊技者が特に注視する部位（表示画面２７ａ）の近傍を通過すること」を、左側のワープ部材７０を透かして視認することが可能である。
【００８８】
右側の側壁部２１ｃは、右方向に入口部を開口させ、左方向に出口部を開口させたワープ孔２１ｐを備えている。そして、図１６に示すように、このワープ孔２１ｐの出口部は、略管状のワープ連絡部材２１ｋ（透明な樹脂を用いて構成される。）を用いて、右側のワープ排出孔５０３Ｓに連絡されている。更に、この右側のワープ進入孔５０３Ｓの出口部５０３１Ｓは、右側のワープ部材７０（透明な樹脂を用いて構成される。）を用いて、右側のワープ排出孔５０３Ｕの入口部５０３１Ｕに連絡されている。更に、この「右側のワープ排出孔５０３Ｕの出口部」は、ステージ部２１ｄの上面部（転動面）の右端側に連絡されている。この右側のワープ部材７０も、略管状に構成され、その中間部が、貫通部６１１内に進入している。
【００８９】
つまり、遊技盤１０には、右側のワープ進入孔５０３Ｓと、右のワープ連絡部材２１ｋと、右側のワープ部材７０と、右側のワープ排出孔５０３Ｕとを用いて構成される「ワープ通路」の中間部が、画面視認用貫通部６１１内に進入すると共に、表示画面２７ａに近接する位置を通過している。即ち、右側の側壁部２１ｃの右側方に到達し、しかも、この側壁部２１ｃのワープ孔２１ｐに進入した遊技球は、右側のワープ連絡部材２１ｋ、右側のワープ進入孔５０３Ｓ、右側のワープ部材７０、右側のワープ排出孔５０３Ｕの順に通過する。この後、右側のワープ排出孔５０３Ｕの出口部からステージ部２１ｄの上面部（転動面）の右端側に到達する。更に、この右側のワープ通路（５０３Ｓ、２１ｋ、７０、５０３Ｕ）の内部も、視認可能とされ（流下経路変更部材２０、ワープ連絡部材２１ｋ、ワープ部材７０が透明であるから）、遊技者は、このワープ通路（５０３Ｓ、２１ｋ、７０、５０３Ｕ）の内部を通過する遊技球を視認可能である。加えて、右側のワープ部材７０を通過する際にも、遊技球は貫通部６１１内を通過する。このため、本実施例では、「遊技球が、本遊技機１のうちで遊技者が特に注視する部位（表示画面２７ａ）の近傍を通過すること」を、右側のワープ部材７０を透かして視認することも可能である。
【００９０】
中央表示装置２７は、「画像表示装置」の具体例を構成すると共に液晶表示装置を用いて構成されている。この中央表示装置２７の前面部には、図１６〜図１８に示すように、表示画面２７ａと、この表示画面２７ａを枠状に包囲する表示枠部２７ｇとが設けられている。この中央表示装置２７は、表示枠部２７ｇの前面部をベース部６００の後面部６００ｂのうちで、貫通部６１１を包囲する部位に当接させつつ、この後面部６００ｂに固着されている。尚、本実施例の中央表示装置２７（液晶表示装置）は、「前面部側に表示画面２７ａを備える液晶パネル」を含む構成とされば足り、当該「液晶パネル」以外の部材（駆動回路等）を一体的に備えるか否かを特に問わない。
【００９１】
つまり、この「画像表示装置」の具体例を構成する液晶表示装置は、「表示用の本体部（液晶パネルを含む部分）を主体とする装置（駆動回路等を含まない装置）」として構成されてもよいし、表示用の本体部（液晶パネルを含む部分）と、他の部材（駆動回路等）とを含む装置として構成されてもよい。換言すると、少なくとも、「表示用の本体部（液晶パネルを含む部分）」を含む装置であればよい。この場合、例えば、この液晶パネルを、表示画面２７ａを構成する部位と、この表示領域部を枠状に包囲する表示枠部と、を備える構成とする。そして、この液晶パネルの前面部（表示枠部の前面部）を、後方板状部６００の後面部６００ｂのうちで画面視認用貫通部６１１を包囲する部位に当接させつつ、この液晶パネルを後方板状部６００の後面部６００ｂに固着してもよい。
【００９２】
本実施例では、図１８に示すように、この中央表示装置２７の固着のために、略Ｌ字のステー２７ｈと、取付用のビス２７ｉとを用いている。そして、このように、中央表示装置２７の固着すると、表示画面２７ａの外縁部と、画面視認用貫通部６１１の内縁部とが、前後に位置合わせされる。このため、遊技盤１０の前方の遊技者は、前方板状部５００を透かして、表示画面２７ａの全域を視認することができる（図７等を参照）。但し、本実施例では、表示画面２７ａのサイズを「１７インチ」としている。尚、各請求項の発明では、表示画面２７ａのサイズは特に問わないが、「１０インチ」〜「２０インチ」の間で選択することが好ましく、「１５インチ」〜「１７インチ」の間で選択することが特に好ましい。
【００９３】
この中央表示装置２７は、後述する右下表示装置６０と同様に、当否判定の結果（後述する。）を示す図柄（以下、「判定結果図柄」という。）を確定表示するためのものである。但し、この中央表示装置２７においては、右下表示装置６０よりも、演出度の高い演出を実行しつつ、判定結果図柄を確定表示を行う。尚、本実施例では、右下表示装置６０が、本図柄を表示するための「本図柄表示用の図柄表示装置」を構成し、中央表示装置２７が、演出用の疑似図柄（演出図柄ということもある。）を表示するための「疑似図柄表示用の図柄表示装置」を構成する。また、本実施例と異なり、単一の図柄表示装置によって、本図柄の表示と、疑似図柄の表示とを行ってもよい。また、各請求項の発明の遊技機１は、本図柄の表示のみを行い、疑似図柄の表示を行わないものであってもよい。
【００９４】
中央表示装置２７の表示画面は可変状態に用いられ、その全体、若しくは、一部を用いて種々の図柄を表示可能である。また、普通図柄作動ゲート（普通図柄作動口）１６は、図７に示すように、遊技領域１１において、流下経路変更部材２０の両脇に位置する部位に配設されている。また、この普通図柄作動ゲート（普通図柄作動口）１６内には普通図柄作動ゲート通過検出スイッチ１６ｓ（図２３参照）が配設されている。そして、普通図柄作動ゲート通過検出スイッチ１６ｓを遊技球が通過することを前提に、「普通図柄の変動開始条件（つまり、普通図柄変動開始条件）」が成立すると、左下表示装置５０（後述する。）において、普通図柄の変動表示（具体的は、普通図柄用のランプ装置の点滅表示）を開始する。そして、普通図柄の変動開始後、所定の変動時間を経過すると、普通図柄の確定表示（点灯、若しくは、消滅）がなされる。そして、普通図柄の当り表示（点灯表示）がなされると、普通電動役物１７ｄ（後述する。）が、所定時間（例えば、０．５秒）開放駆動される。
【００９５】
始動入賞装置１７は、前後に連通する２つの始動入賞球通過孔５０３ａ、６０３ａの前方に位置する部位に配設されている。そして、図７に示すように、第１の始動入賞部１７ａと、第２の始動入賞部１７ｂとを上下に配設した構成を備える。このうち、第１の始動入賞部１７ａは、上方に開口部、つまり、第１の始動口を開口させたポケット形状を備えている。この第１の始動口は、排出通路２４ｃの出口部２４ｅの直下に位置するため、排出通路２４ｃを通過した遊技球は、この第１の始動口を通じて、始動入賞装置１７に入賞する確率が高くされている。
【００９６】
第２の始動入賞部１７ｂは、第１の始動入賞部１７ａの直下に位置すると共に、入口側部分に、普通電動役物１７ｄが配置されている。この普通電動役物１７ｅは、いわゆるチューリップ式で左右に一対の翼片部が開閉するべく形成されている。つまり、第２の始動入賞部１７ｂは、この一対の翼片部を作動させるための普通電動役物ソレノイド１７ｃ（図２３参照）を備えている。そして、この一対の翼片部が左右に開くと、遊技球の入球可能性が大きくなる開放状態となり、一対の翼片部が立設され、遊技球の入球可能性が小さくなる通常状態となる。
【００９７】
始動入賞装置１７の内部には、第１の始動入賞部１７ａ、若しくは、第２の始動入賞部１７ｂを遊技球の通過を検出する始動入賞検出スイッチ１７ｓ（図２３参照）が配設されている。つまり、第１の始動入賞部１７ａに入賞した遊技球と、第２の始動入賞部１７ｂに入賞した遊技球は、始動入賞装置１７内の同一の通路（図示を省略）を通過し、この通路の経路途中に配設された始動入賞検出スイッチ１７ｓによって検出される構成となっている。
【００９８】
図７に示すように、下部装置３０は、始動入賞装置１７の下方に配設されている。この下部装置３０は、可変入賞装置（大入賞装置）３１によって構成されている。この可変入賞装置３１は、遊技盤１０の前面部１０ａに装着された取付板部３１ｋを備える。この取付板部３１ｋは、略中央部において平面形状が略帯状の開口部を表裏を貫通する状態に備え、この開口部によって大入賞口３１ａを構成している。そして、この大入賞口３１ａの後端部は、前後に連通する２つの大入賞球通過孔５０３ｂ、６０３ｂと連通している。尚、この２つの大入賞球通過孔５０３ｂ、６０３ｂによって、「大入賞口３１ａから入賞する遊技球を通過させるための大入賞口入賞通路（図示を省略）」が構成される。
【００９９】
そして、可変入賞装置（大入賞装置）３１は、この大入賞口３１ａを開放・閉鎖するための開閉板３１ｂと、この開閉板３１ｂを駆動するための大入賞口ソレノイド３１ｃ（図２５参照）と、大入賞口入賞通路の経路途中若しくは経路端末部に設けられた入賞球検出スイッチ３１ｓ（図２３参照）と、を備えている。この可変入賞装置（大入賞装置）３１は、開閉板３１ｂが起立姿勢となると、この開閉板３１ｂが大入賞口３１ａを閉鎖するため、可変入賞装置（大入賞装置）３１への遊技球の入賞が不可能となる。一方、開閉板３１ｂが、その下端部を支点に前方に傾動して前傾姿勢となると、大入賞口３１ａを開放されると共に、開閉板３１ｂの後面部（背面部）が遊技領域１１を流下し、可変入賞装置（大入賞装置）３１へ到達した遊技球を、大入賞口３１ａに誘導する誘導部を構成する。
【０１００】
左下表示装置５０は、図７に示すように、可変入賞装置（大入賞装置）３１の左側方に配置されている。この左下表示装置５０は、図２１（ａ）に示すように、略円弧状に構成されると共に、遊技盤１０の前面部に取り付けられる取付板５１を備えている。そして、この取付板５１には、普通図柄保留表示部５２と、特別図柄保留表示部５３と、遊技状態表示部５５と、普通図柄表示部５６とが設けられている。
【０１０１】
普通図柄保留表示部５２は、２個のＬＥＤを用いて構成され、所謂「普通図柄に関する保留数」を、４個を上限として表示するものである。つまり、「普通図柄作動ゲート（普通図柄作動口）１６を通過したが、未だ、未消化の遊技球の個数（即ち、保留数）」を、４個上限数として表示すると共に、未消化の遊技球が消化される毎に、「未消化の遊技球の個数（即ち、保留数）」を、順次、デクリメントして表示するものである。ここで、普通図柄に関する「未消化の遊技球（つまり、保留球）」とは、普通図柄作動ゲート（普通図柄作動口）１６を通過したが、後述する普通図柄表示部５６において、当該通過に伴う当否抽選の結果の表示（抽選結果図柄の確定表示）と、これに先行する変動表示（本実施例では、ＬＥＤを用いて点滅表示）とがなされていない遊技球を指す。
【０１０２】
特別図柄保留表示部５３も、２個のＬＥＤを用いて構成され、所謂「特別図柄に関する保留数」を、４個を上限として表示するものである。つまり、「始動入賞装置１７に入賞したが、未だ、未消化の遊技球の個数（即ち、保留数）」を、４個上限数として表示すると共に、未消化の遊技球が消化される毎に、「未消化の遊技球の個数（即ち、保留数）」を、順次、デクリメントして表示するものである。ここで、特別図柄に関する「未消化の遊技球（つまり、保留球）」とは、始動入賞装置１７に入賞したが、後述する特別図柄表示部６１において、当該通過に伴う当否判定の結果の表示（判定結果図柄の確定表示）と、これに先行する変動表示とがなされていない遊技球を指す。
【０１０３】
尚、本実施例では、「遊技球が、普通図柄作動ゲート（普通図柄作動口）１６を通過すること条件に、主制御部２００Ａによって実行される判断、つまり、普通電動役物１７ｅを開放状態とすべきか否かの判断を、「当否抽選」と称する。また、「遊技球が、始動入賞装置１７に入賞すること条件に、主制御部２００Ａによって実行される判断、つまり、可変入賞装置（大入賞装置）３１を開放を許容するか否かの判断（遊技機の遊技状態を、可変入賞装置３１を閉鎖状態に維持する通常遊技状態から、可変入賞装置３１の開閉を行う特別遊技状態にすべきか否かの判断）を、「当否判定」と称する。
【０１０４】
遊技状態表示部５５は、２個のＬＥＤ５５ａ、５５ｂを用いて構成され、遊技機１の現在の遊技状態を表示するために用いられる。つまり、２個のＬＥＤ５５ａ、５５ｂを消灯させることで、「遊技機１の現在の遊技状態が通常遊技状態である」旨が表示される。また、一方のＬＥＤ５５ａを点灯させ、他方のＬＥＤ５５ｂを消灯させて、「遊技機１の現在の遊技状態が確変遊技状態である」旨が表示される。更に、一方のＬＥＤ５５ａを消灯させ、他方のＬＥＤ５５ｂを点灯させて、「遊技機１の現在の遊技状態が確変遊技状態である」旨が表示される。ここで、本実施例では、遊技機１の遊技モードが、通常遊技モードから確変モードになると、確変手段（特別図柄の当否判定において、大当り判定がなされる確率を高く設定することを内容とする手段）と、開放延長手段（普通電動役物１７ｅの開放時間を長くしたり、開放回数が多く設定することを内容とする手段）とが作動する。
【０１０５】
普通図柄表示部５６は、１個のＬＥＤ５６ａを用いて構成され、前述の如く、「普通図柄作動ゲート（普通図柄作動口）１６に伴う当否抽選の結果の表示」を、変動表示（本実施例では、ＬＥＤを用いて点滅表示）を経て実行する。つまり、この「当否抽選に関する結果の表示に、先行する変動表示」の実行時期が到来すると、普通図柄表示部５６は点滅表示を開始する。そして、「当否抽選に関する結果の表示」の実行時期が到来すると（換言すると、普通図柄の変動時間を終了すると）、普通図柄表示部５６を用いて、「当否抽選に関する結果」の確定表示がなされる。具体的には、ＬＥＤ５６ａを点灯状態とすることで、当該「当否判定に関する結果」が当り（普通図柄に関する当否抽選の結果が当り）であることが確定表示され、ＬＥＤ５６ａを消灯状態とすることで、当該「当否抽選に関する結果」が外れ（普通図柄に関する当否抽選の結果が当り）であることが確定表示される。尚、当該「当否抽選に関する結果」が当り（普通図柄に関する当否抽選の結果が当り）である場合には、前述のように、普通電動役物１７ｅ（後述する。）が、所定時間（例えば、０．５秒）開放駆動される。
【０１０６】
本実施例では、このように、ＬＥＤ５６ａを点灯状態としたり、消灯状態とすることで、普通図柄の確定表示を示し、ＬＥＤ５６ａを点滅状態とすることで、普通図柄の変動表示を示す。つまり、ランプ装置による点灯表示と、消灯表示と、点滅表示とを用いて、普通図柄の表示を行う。但し、本実施例においては、数字（例えば、１〜９の数字）、アルファベット文字、図形等を用いて普通図柄の表示を行うこともできる。
【０１０７】
右下表示装置６０は、図７に示すように、可変入賞装置（大入賞装置）３１の右側方に配置されている。この右下表示装置６０は、図２１（ｂ）に示すように、略円弧状に構成されると共に、遊技盤１０の前面部に取り付けられる取付板６１を備えている。そして、この取付板６１には、特別図柄表示部６２と、大当り態様表示部６３と、が設けられている。
【０１０８】
特別図柄表示部６２は、略長円状に配設された「７個のＬＥＤ６２ａ〜６２ｇ」を用いて構成され、「始動入賞装置１７への遊技球の入賞（以下、「始動入賞」という。）に伴う当否判定の結果の表示」を、変動表示（本実施例では、複数のＬＥＤを用いて点灯表示）を経て実行する。つまり、この「当否判定に関する結果の表示に、先行する変動表示」の実行時期が到来すると、特別図柄表示部６２は、「７個のＬＥＤ６２ａ〜６２ｇ」を順次、点灯させる。具体的には、略長円状に配設された「７個のＬＥＤ６２ａ〜６２ｇ」において、この略長円状を周回する方向に沿って、「７個のＬＥＤ６２ａ〜６２ｇ」が点灯する。
【０１０９】
より具体的には、所定のＬＥＤ（例えば、ＬＥＤ６２ａ）が点灯状態となると、残りのＬＥＤ（例えば、ＬＥＤ６２ｂ〜６２ｇ）は消灯状態となる。このＬＥＤ（例えば、ＬＥＤ６２ａ）が消灯状態となると、略長円状を周回する方向に隣合う１つのＬＥＤ（例えば、ＬＥＤ６２ｂ）のみが点灯状態となる。そして、点灯状態となるＬＥＤを、略長円状を周回する方向に沿って順次変更することで、特別図柄表示部６２の変動表示が実行される。この変動表示（以下、「ＬＥＤ６２ｂ〜６２ｇを用いた循環表示」という。）を実行し、「特別図柄に関する当否判定に関する結果の表示」の実行時期が到来すると、特別図柄表示部６２において、特別図柄の確定表示が実行される。
【０１１０】
大当り態様表示部６３は、２個のＬＥＤ６３ａ、６３ｂを用いて構成される。この大当り態様表示部６３は、主に、「特別図柄に関する当否判定に関する結果が大当りである場合、その大当りの種類」を表示するために用いられる。つまり、特別図柄表示部６２において大当り表示がなされていない場合には、２個のＬＥＤ６３ａ、６３ｂは消灯状態とさせる。そして、特別図柄表示部６２において大当り表示がなされる場合、何れかのＬＥＤ６３ａ、６３ｂを点灯させて、当該大当りの種類が表示される。具体的には、「一方のＬＥＤ６３ａを点灯させ、他方のＬＥＤ６３ｂを消灯させて、「特別図柄表示部６２においてなれる大当り表示」が、「第１の大当り（例えば、大量の賞球を期待できる大当り）」であることが示される。また、一方のＬＥＤ６３ａを消灯させ、他方のＬＥＤ６３ｂを点灯させて、「特別図柄表示部６２においてなれる大当り表示」が、「第２の大当り（例えば、大量の賞球を期待できない大当り、若しくは、賞球を期待できないが、遊技機１の遊技状態を確変遊技状態に移行させることを期待できる大当り）」であることが示される。
【０１１１】
図２１（ａ）に示すように、２個の一般入賞装置４０、４１は、左下表示装置５０を構成する取付板５１に一体化され、図２１（ｂ）に示すように、残りの２個の一般入賞装置４３、４４は、右下表示装置６０を構成する取付板６１に一体化されている。そして、各一般入賞装置４０、４１、４３、４４の内部には、遊技球の入賞を検出するための入賞検出スイッチ４０ｓ、４１ｓ、４３ｓ、４４ｓ（図２５参照）が配設されている。また、各一般入賞装置４０、４１、４３、４４は、それらの後方で連通する一般入賞球通過孔（５０３ｃ及び６０３ｃ、５０３ｅ及び６０３ｅ、５０３ｇ及び６０３ｇ、５０３ｈ及び６０３ｈ）に連通している。
【０１１２】
図７に示すように、遊技盤１０の下方にはアウト口１８が設けられている。また、アウト口１８は、その後方で連通する、アウト球通過孔５０３ｋ、６０３ｋと連通している。更にアウト口１８の下部にはバック球防止部材（図示を省略）が設けられている。そして、遊技領域１１に到達せず戻ってきた遊技球が再び発射位置に戻ることを防止している。また、ファール球防止部材１５は、内レール１３の先端部に取り付けられている。但し、図８においては、ファール球防止部材１５の図示を省略している。
【０１１３】
また、本実施例では、領域形成部５１１の多数の釘下穴５７０（図１１を参照）に対して、図２０に示すように、各々障害釘８０が植設されている（図７等においては、この障害釘８０の図示を省略している。）。つまり、領域形成部５１１に設けられた多数の釘下穴５７０には、各々１本ずつ障害釘８０が打ち込まれている。
【０１１４】
この障害釘（全長；２４．５ｍｍ）８０は、図１９に示すように、先端部８１ａを尖らせた軸部８１と、軸部８１の後端部８１ｂに一体的に設けられた頭部８２と、を備えている。この障害釘８０においては、軸部８１の先端部８１ａから後端部８１ｂに向かって、７．５ｍｍの長さの部分（ＬＭ）が、領域形成部５１１（つまり、釘下穴５７０）に埋設される埋設部８０Ｍである。そして、障害釘８０においてその他の部分（ＬＴ）が、領域形成部５１１の前方に突出する突出部８０Ｔとされる。
【０１１５】
軸部８１は釘下穴５７０の内径よりも大きな外径（１．８５ｍｍ）を備えている。また、軸部８１の先端部８１ａ側には、先端部８１ａに向かって外径を徐々に縮径（先細り）となるテーパ部８４が形成されている。また、埋設部８０Ｍの中間部（軸部８１の軸心方向に沿った中間部）には、外周面に螺旋状のアンカー部（ねじり部）８５を形成している。尚、埋設部８０Ｍの外径は、アンカー部（ねじり部）８５の最大径となる部分で、軸部８１の他の部分に比べて僅かに大きくされ、アンカー部（ねじり部）８５の最大径となる部分で、軸部８１の他の部分（但し、テーパ部８４を除く）に比べて僅かに小さくされている。また、軸部８１の先端部８１ａ側（テーパ部８４の部分）には、略円錐面状の先端面８８ａが設けられている。
【０１１６】
本実施例では、図２０に示すように、障害釘８０がその先端部８０ａ（つまり、軸部８１の先端部８１ａ）を先頭に、各釘下穴５７０に打ち込まれている。つまり、障害釘８０の埋設部８０Ｍが釘下穴５７０に挿入（圧入）され、障害釘８０の突出部８０Ｔが領域形成部５１１の前方に突出する状態とされている。これにより、障害釘８０が領域形成部５１１に植設された状態となる。但し、埋設部８０Ｍの外径が釘下穴５７０の内径よりも大きくされているため、埋設部８０Ｍを釘下穴５７０に挿入（圧入）する際に、削りカス８０Ｖを生じ得る（図２９を参照）。
【０１１７】
このように障害釘８０が植設されると、障害釘８０の先端部８０ａと、釘下穴５７０の穴底部５７２とが離れた状態とされるとともに、障害釘８０の先端面８８ａと穴底部５７２の間に隙間部５７０Ｓが形成される（このとき、障害釘８０の先端部８０ａと、釘下穴５７０の穴底部５７２との間にも隙間部が形成される。）。そして、この隙間部５７０Ｓに、前述の削りカス８０Ｖが収納される。従って、この削りカス８０Ｖが、領域形成部５１１の後方に到達することはない。また、アンカー部８５が釘下穴５７０の内壁に食い込んだ状態となるため、障害釘８０の回り止めが図られる。
【０１１８】
ｃ．遊技機１の裏面構造
次に、本実施例の遊技機１の裏面構造について図２２を参照して説明する。つまり、遊技機１の裏面構造は、大きな裏機構盤１０２の上に各種装置が搭載された構造となっており、裏機構盤１０２は、一対のヒンジ１０３によって中枠３に開閉可能に軸支されている。
【０１１９】
裏機構盤１０２には、遊技球が蓄えられる賞球タンク１０５と、賞球の払出を行う賞球払出装置１０９と、主制御部２００Ａを構成する主制御基板２００が格納された主制御基板ケースと、発射装置ユニットを制御する発射制御基板２６０が格納された発射装置制御基板ケース１３０と、賞球払出装置１０９を制御する払出制御基板２４０が格納された払出制御基板ケース１１８と、主制御基板２００と各種スイッチ類とを中継する中継端子板などが搭載されている。
【０１２０】
賞球タンク１０５には底部にタンクスイッチが設けられており、球切れを検出することができる。また、賞球タンク１０５と賞球払出装置１０９とは、タンクレール１０６によって接続されている。更に、図２２において、タンクレール１０６の右側には球抜きレバーが設けられ、タンクレール１０６の下流側には補給球切れ検知スイッチが設けられている。また、賞球払出装置１０９の下流側には、遊技球の振り分け部が設けられている。尚、図２２は、図示が煩雑となることを避けるために、振り分け部の表示は省略されている。
【０１２１】
主制御基板ケース、中継端子板や、払出制御基板ケース１１８等の各種基板類は、裏機構盤１０２に回動自在に懸架された図示しない金属板に、着脱自在に装着されている。
【０１２２】
裏機構盤１０２の右上端部には、ヒューズボックス、電源スイッチ、電源ターミナル基板１３２及び大当り、発射装置制御、球切れ、扉開放、賞球、球貸し用等の遊技機枠用外部接続端子を備えた中継端子板が設けられている。尚、電源ターミナル基板１３２には、ラムクリア信号を発生させるためのラムクリアスイッチ１３２ａが接続されている。また、中継端子板の上側には、外部からの電力の供給を受けるための電源ケーブルも配設されている。更に、払出制御基板ケース１１８からは接続ケーブルが上方へ延出し、電源ケーブルを備えた球貸装置に接続されている。また、裏機構盤１０２の略中央下端部には、下皿部材用球通路部材が設けられている。
【０１２３】
（２）制御回路の構成
次に、図２３〜図２５を用いて本実施例の遊技機１の制御回路の構成について説明する。本遊技機１の制御回路は、主制御部２００Ａと、複数の副制御部（２２０Ａ、２４０Ａ、２６０Ａ）とを含んで構成されている。つまり、主制御基板２００を用いて構成されると共に遊技の基本的な進行や賞球に関わる当否についての制御を司る主制御部２００Ａと、複数の副制御部（２２０Ａ、２４０Ａ、２６０Ａ）とを備えている。
【０１２４】
副制御部としては、（ａ）演出制御基板２２０を用いて構成されると共に、「図柄表示、ランプの発光、効果音、可動物の動作等を用いた遊技の各種の演出の制御を司る演出制御部２２０Ａと、（ｂ）払出制御基板２４０を用いて構成されると共に貸球や賞球を払い出す動作の制御を司る払出制御部２４０Ａと、（ｃ）発射制御基板２６０を用いて構成されると共に遊技球の発射に関する制御を司る発射制御部２６０Ａを備える。尚、副制御部には、主制御部１４０に直に接続された第１次副制御部（２２０Ａ、２４０Ａ）と、この第１次副制御部を介して主制御部２００Ａに接続された第２次副制御部（２６０Ａ）とが存在する。
【０１２５】
これらの制御部（２００Ａ、２２０Ａ、２４０Ａ、２６０Ａ）を構成する制御基板（２００、２２０、２４０、２６０）は、各種論理演算および算出演算を実行するＣＰＵや、ＣＰＵで実行される各種プログラムやデータが記憶されているＲＯＭ、プログラムの実行に際してＣＰＵが一時的なデータを記憶するＲＡＭ、周辺機器とのデータのやり取りを行うための周辺機器インターフェース（ＰＩＯ）、ＣＰＵが演算を行うためのクロックを出力する発振器、ＣＰＵの暴走を監視するウォッチドッグタイマ、定期的に割り込み信号を発生させるＣＴＣ（カウンター・タイマ・サーキット）など、種々の周辺ＬＳＩがバスで相互に接続されて構成されている。尚、図２３〜図２５中の矢印の向きは、データあるいは信号を入出力する方向を表している。また、図２３においては、主制御基板２００に搭載されたＣＰＵ２０１、ＲＡＭ２０２、ＲＯＭ２０３のみ図示されており、主制御基板２００に搭載されているＰＩＯ、更には、他の制御基板に搭載されているＣＰＵや、ＲＡＭ、ＲＯＭなどについては図示を省略している。
【０１２６】
主制御部２００Ａ（主制御基板２００）は、普通図柄作動ゲート通過検出スイッチ１６ｓ、始動入賞検出スイッチ１７ｓ、入賞球検出スイッチ３１ｓ、４０ｓ、４１ｓ、４３ｓ、４４ｓ等から遊技球の検出信号を受け取って、遊技の基本的な進行や賞球に関わる当否を決定した後、演出制御部２００Ａ（演出制御基板２２０）や、払出制御部２４０Ａ（払出制御基板２４０）、発射制御部２６０Ａ（発射制御基板２６０）等に向かって、後述する各種のコマンドを出力する。また、主制御部２００Ａ（主制御基板２００）には、発射装置ユニットから発射された遊技球を検出するカウントスイッチ８ｓも接続されている。また、主制御部２００Ａ（主制御基板２００）は、普通電動役物ソレノイド１７ｃや、大入賞口ソレノイ板３１ｃ、左下表示装置５０、右下表示装置６０に信号を出力することにより、これらの動作を直接制御している。
【０１２７】
演出制御部２２０Ａ（演出制御基板２２０）は、主制御部２００Ａ（主制御基板２００）からの各種コマンドを受け取ると、コマンドの内容を解析して、その結果に応じた遊技の演出を行う。即ち、中央表示装置（液晶表示装置）２７を駆動する演出表示基板２２２やスピーカーＳＰを駆動するアンプ基板２２４が接続されている。
【０１２８】
演出制御部２２０Ａ（演出制御基板２２０）は、装飾用の各種ＬＥＤ基板４ｃ〜４ｉ等を駆動する装飾駆動基板２２６に駆動信号を出力することにより、遊技の演出を行う。尚、操作スイッチＳＷからの操作信号は、演出ボタン基板２２８を介して、演出制御部２２０Ａ（演出制御基板２２０）に入力される。尚、演出制御部２２０Ａ（演出制御基板２２０）の詳細な入出力関係については後述する。
【０１２９】
払出制御部２４０Ａ（払出制御基板２４０）は、所謂、貸球や賞球の払い出しに関する各種の制御を司っている。例えば、遊技者が上皿部材５に設けられた球貸スイッチ５ｂや返却スイッチ５ｃを操作すると、この信号は、球貸表示基板２４２から中継端子板を介して、球貸装置に伝達される。この球貸装置は、払出制御部２４０Ａ（払出制御基板２４０）とデータをやり取りしながら、貸球の払出を行う。
【０１３０】
主制御部２００Ａ（主制御基板２００）が賞球の払出コマンドを出力すると、このコマンドを払出制御部２４０Ａ（払出制御基板２４０）が受け取って、払出モータ１０９ｍに駆動信号を出力することによって賞球の払い出しが行われる。また、払い出された賞球は、２つの払出スイッチ（前側払出スイッチ１０９ａ、後ろ側払出スイッチ１０９ｂ）によって検出されて、払出制御部２４０Ａ（払出制御基板２４０）に入力される。更に、払い出された賞球数はカウントスイッチ１０９ｃによっても検出されて、主制御部２００Ａ（主制御基板２００）でも計数されている。
【０１３１】
賞球タンク１０５に設けられたタンクスイッチ１０４からの信号や、賞球タンク１０５に供給する遊技球が蓄えられる図示しない外部タンクに設けられた外部タンクスイッチ１２４らの信号も、払出制御部２４０Ａ（払出制御基板２４０）に入力されている。このため、払出制御部２４０Ａ（払出制御基板２４０）は、球切れのため賞球の払い出しができなくなる前に、前述したエラーＬＥＤ４ｇ，４ｈによって異常を報知することが可能となっている。
【０１３２】
下皿部材６に設けられた下皿満タンスイッチ６ｓからの信号も払出制御部２４０Ａ（払出制御基板２４０）に入力されている。このため、下皿部材６が遊技球で一杯となった場合にも、下皿満タンスイッチ６ｓで検出された信号を受けて、払出制御部２４０Ａ（払出制御基板２４０）が賞球の払い出しを一時的に停止することが可能となっている。加えて、前面枠４が開放状態となっていることを検出する前面枠スイッチ４ｓからの信号も、払出制御部２４０Ａ（払出制御基板２４０）に入力されている。このため、何らかの理由で前面枠４が明けられた場合には、賞球の払い出し、或いは、遊技球の球貸し等の動作を中止することが可能となっている。また、払出制御部２４０Ａ（払出制御基板２４０）は、主制御部２００Ａ（主制御基板２００）からの制御の下で、遊技球の発射を許可する信号（発射許可信号）を発射制御部２６０Ａ（発射制御基板２６０）に向かって出力している。そして、発射制御部２６０Ａ（発射制御基板２６０）は、この発射許可信号を受けて、後述するように、遊技球を発射するための各種制御を行っている。
【０１３３】
次に、演出制御部２２０Ａ（演出制御基板２２０）に対する信号或いはコマンドの入出力関係について説明する。前述のように、演出制御部２２０Ａ（演出制御基板２２０）には、演出表示基板２２２と、アンプ基板２２４、装飾駆動基板２２６、演出ボタン基板２２８などの各種基板が接続されている。
【０１３４】
演出制御部２２０Ａ（演出制御基板２２０）は、前述のように、主制御部２００Ａ（主制御基板２００）から各種の演出用のコマンドを受け取ると、コマンドの内容を解釈して、（ａ）中央表示装置（液晶表示装置）２７での具体的な表示内容や、（ｂ）スピーカＳＰ１〜ＳＰ４で出力する効果音、更には、（ｃ）各種ＬＥＤランプや、「ＬＥＤ基板４ｃ〜４ｉに搭載されたＬＥＤランプ」の点灯若しくは点滅の具体的な態様を決定する。次いで、演出制御部２２０Ａ（演出制御基板２２０）の駆動信号を演出表示基板２２２に出力して、演出用図柄の変動停止表示を行う。このとき、表示されるキャラクタ図柄や背景図柄などの一部データについては、中央表示装置（液晶表示装置）２７、或いは、演出表示基板２２２に内蔵された演出表示ＲＯＭ２７ｒに格納されているデータを使用する。
【０１３５】
また、疑似図柄の変動停止表示に合わせて、音声信号をアンプ基板２２４に出力することによって、スピーカＳＰ１〜ＳＰ４から効果音を出力する。加えて、装飾駆動基板２２６に信号を供給し、装飾駆動基板２２６から、各種ＬＥＤランプ、「ＬＥＤ基板４ｃ〜４ｉに搭載されたＬＥＤランプ」等の駆動信号を出力することによって、各種ＬＥＤの点灯・点滅動作等を制御する。更に、上皿部材５の前面側に設けられた操作スイッチＳＷを、遊技者が操作すると、この操作信号が演出制御部２２０Ａ（演出制御基板２２０）に供給される。そして、演出制御部２２０Ａ（演出制御基板２２０）は、供給された操作信号に基づいて、中央表示装置（液晶表示装置）２７を初めとする各種の演出内容に操作結果を反映させることが可能に構成されている。
【０１３６】
（３）遊技盤の製造工程
次に、図２６〜図２８を用いて遊技盤１０の製造工程の一具体例等について簡単に説明する。先ず、図２６及び図２７に示すように、アクリル板（アクリル樹脂製の板）を、ルータ加工装置８００を用いて所定の形状に加工する（Ｓ１０）。このとき、各位置決め孔５０１や、各通過孔（始動入賞球通過孔５０３ａ、大入賞球通過孔５０３ｂ、一般入賞球通過孔５０３ｃ、５０３ｅ、５０３ｇ、５０３ｈ、アウト球通過孔５０３ｋ）等が形成される。
【０１３７】
次いで、このアクリル板に対して、ドリル加工装置８１０を用いて釘下穴（直径；１．８２ｍｍ）５７０を形成すると（Ｓ１５）、前方板状部５００を完成する。この釘下穴５７０は、領域形成部５１１の前面部５１１ａで開口する「有底穴」として構成されている。尚、本実施例では、前方板状部５００の板厚が１０ｍｍとされているが、釘下穴５７０の深さ（軸心Ｊ１方向に沿った深さ）が、「８．９〜９．５ｍｍ」のうちから選択される値とされている。また、釘下穴５７０の領域形成部５１１の板厚方向に沿った長さは、「８．５〜９ｍｍ」のうちから選択される値とされている。また、このＳ１５の工程は、「釘下穴形成工程」の具体例を構成する。
【０１３８】
続いて、前方板状部５００に釘下穴５７０を形成する際に生じた「削りカス」を除去する作業（エアー等を用いて除去する作業）を行う（Ｓ２０）。
【０１３９】
更に、「前方板状部５００の形状に合致した所定形状」に型抜きしたＡＢＳ樹脂板（つまり、ベース部６００）を、「後面部５００ｂに装飾シート６２０が装着された前方板状部５００」にビス止めする（Ｓ３０）。続いて、「前方板状部５００の形状に合致した所定形状」に型抜きした金属板（つまり、背板部６６０）をベース部６００にビス止めすると（Ｓ３８）、盤本体１０Ｈを完成する。このＳ３０の工程と、Ｓ３８の工程とによって「釘下穴形成工程」の具体例を構成する。
【０１４０】
このように、盤本体１０Ｈを完成したところで、遊技機の製造メーカに納入される。そして、遊技機の製造メーカでは、先ず、盤本体１０Ｈの板厚が基準値（１９ｍｍ）であるか否かを測定する（Ｓ４１）。つまり、Ｓ４１の工程は「板厚測定工程」の具体例を示すものであり、盤本体１０Ｈの板厚が、在来型の遊技盤（木製の遊技盤）の板厚であるか否かを測定するための工程である。この「板厚測定工程」は、所定の板厚測定装置８５０を用いて行われる。
【０１４１】
遊技機の製造メーカが、盤本体１０Ｈの板厚が基準値であることを確認すると、盤本体１０Ｈに、盤部品（始動入賞装置１７、下部装置３０、左下表示装置５０、右下表示装置６０、一般入賞装置４０、４１、４３、４４等）や中央表示装置２７（画像表示装置）を装着するとともに、障害釘８０を植設する（Ｓ５０）。
【０１４２】
この障害釘８０を植設は、在来型の遊技盤（木製の遊技盤）に障害釘８０を打ち込むための「釘打装置８８０」を用いて行われる。この「釘打装置８８０」のアタッチメント（盤本体１０Ｈを挟着するためのアタッチメント）は、在来型の遊技盤（木製の遊技盤）の板厚（１９ｍｍ）に合致するように設定してあるが、本実施例では、Ｓ４１の工程を経ているため、アタッチメントの設定を変更することなく、「障害釘８０の打込工程」を行うことができる。
【０１４３】
但し、本実施例で使用する釘打装置８８０は、所定の制御手段８８８を用いて駆動を制御させる。そして、「釘打装置８８０によって釘下穴５７０に打ち込まれる障害釘８０の打込量」が、「障害釘８０と釘下穴５７０の穴底部５７２との間に隙間部５７０Ｓを形成可能な量」となるように、釘打装置８８０の駆動が制御される。
【０１４４】
このＳ５０の工程においては、図２８に示すように、障害釘８０の先端部８０ａを先頭にして、釘下穴５７０に向かって埋設部８０Ｍを圧入状態に埋設することによって行われる。そして、Ｓ５０の工程を経て障害釘８０が領域形成部５１１に植設されると、図２９に示すように、障害釘８０の先端部８０ａと、釘下穴５７０の穴底部５７２とが離れた状態とされる。そして、障害釘８０の略円錐状とされる先端面８８ａと、釘下穴５７０の穴底部５７２との間に隙間部５７０Ｓが形成される。そして、この隙間部５７０Ｓに、前述の削りカス８０Ｖが収納される。従って、この削りカス８０Ｖが、領域形成部５１１の後方に到達することはない。また、アンカー部８５が釘下穴５７０の内壁に食い込んだ状態となるため、障害釘８０の回り止めが図られる。
【０１４５】
ここで、図３０に示す比較例のように、釘下穴５７０を、領域形成部５１１を貫通する状態に設けられるとすると、削りカス８０Ｖが、領域形成部５１１の後方に到達する。従って、装飾シート６２０の前面部等に削りカス８０Ｖが到達するため、遊技盤１０の外見を低下させることになる。これに対して、本実施例では、図２９に示すように、削りカス８０Ｖが、領域形成部５１１の後方に到達しないため、遊技盤１０の外見を良好な状態に維持することができる。
【０１４６】
（４）実施例の効果
本実施例によると、有底の釘下穴５７０を用いて障害釘８０を領域形成部５１１に植設するため、前方板状部５００を透明部とする遊技盤１０を簡易に製造できる。つまり、「従来型の釘打装置８８０」をそのまま使用しつつ、前方板状部５００に「割れ」等の不具合を生ずることなく、遊技盤１０を簡易に製造できる。
【０１４７】
また、本実施例では、有底の釘下穴５７０に打ち込まれる障害釘８０と、釘下穴５７０の穴底部５７２との間に隙間部５７０Ｓが形成され、障害釘８０を釘下穴５７０に打ち込むことで生ずる削りカス８０Ｖを、隙間部５７０Ｓに収納することができる。つまり、本実施例によると、障害釘８０を釘下穴５７０に打ち込むことで生ずる「削りカス８０Ｖ」は釘下穴５７０内に止まるため、良好な外観を備える遊技盤１０を得ることができる。
【０１４８】
更に、本実施例では、障害釘８０を釘下穴に打ち込むことで生ずる削りカス８０Ｖを、隙間部５７０Ｓに収納することができるため、障害釘８０の打込量の適正化を図ることができる。すなわち、釘下穴５７０内の「削りカス８０Ｖ」は隙間部５７０Ｓに逃がされ、「障害釘８０の打込」の邪魔にならないため、障害釘８０の打込量が不足することが防止される。従って、本実施例によると、遊技盤１０を的確に製造することができる。
【０１４９】
以上、本発明の実施の形態を説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。
【０１５０】
即ち、本実施例では、障害釘８０が領域形成部５１１に植設されると、障害釘８０の先端部８０ａと、釘下穴５７０の穴底部５７２とが離れた状態とされる態様を例示した。ところが、軸部８１の先端側にテーパ部８４を備える態様においては、図３１の変形例に示すように、障害釘８０の先端部８０ａと釘下穴５７０の穴底部５７２とを当接させても、障害釘８０と穴底部５７２との間に隙間部５７０Ｓを形成することができる。
【０１５１】
また、前方板状部５００にベース部６００を積層（但し、装飾シート６２０を介在させた状態で積層）した後、ベース部６００に背板部６６０を装着して盤本体１０Ｈを構成する態様を例示したが、予め、ベース部６００と背板部６６０とを積層して後方板状部５８０を構成した後、前方板状部５００と、後方板状部５８０とを積層して盤本体１０Ｈを構成してもよい。この場合、本実施例と同様に、前方板状部５００と、後方板状部５８０との間に装飾シート６２０を介在させることもできる。
【０１５２】
更に、各請求項の発明においては、「釘下穴５７０」の深さ（軸心方向に沿った深さ）と、領域形成部５１１（前方板状部５００）の板厚（前後方向に沿った厚み）と、「障害釘８０」を構成する埋設部（打込部）８０Ｍの軸心長さとを、例えば、以下のように定めることもできる。つまり、「釘下穴５７０」によって埋設部（打込部）を支持可能であるとともに、「釘下穴５７０」の深さが埋設部８０Ｍの軸心長よりも長くなる範囲で定められる。例えば、領域形成部５１１の板（Ｄ）が「７ｍｍ〜１２ｍｍ（遊技盤の肉厚の約３６％〜約６３％のうちの何れかの値）」である場合、「釘下穴の深さ（Ｅ）」を「肉厚（Ｄ）から１〜２．５ｍｍのうちの何れかの長さだけ減じた値」とし、埋設部８０Ｍの軸心長（Ｆ）を、「釘下穴の深さ（Ｅ）から０．５〜２．０ｍｍのうちの何れかの長さだけ減じた値」とする場合を例示できる。尚、障害釘８０の突出部８０Ｔの全長（Ｇ）を、１６．５ｍｍ〜１７．５ｍｍ（特には、１７ｍｍ）とすることができる。
【０１５３】
つまり、隙間部５７０Ｓの全長（釘下穴５７０の軸心Ｊ１方向）に沿った幅としては、０．５〜２．０ｍｍのうちの何れかの長さだけ確保されることが望ましい。蓋し、障害釘８０が釘下穴５７０に打ち込まれることによって生ずる削りカス８０Ｖを確実に収納するためである。また、埋設部８０Ｍの軸心長（Ｆ）を前述の値（肉厚Ｄから１〜２．５ｍｍのうちの何れかの長さだけ減じた値）とするのが好ましいには、障害釘８０を釘下穴５７０で支持する上で、この程度の値とすることが望ましいからである。
【０１５４】
埋設部８０Ｍの外径は、釘下穴５７０の内径よりも大きくされる。例えば、「０．２ｍｍ〜０．５ｍｍのうちの何れかの値（特に、０．３ｍｍ）」だけ大きくする態様を例示できる。尚、障害釘８０の軸部８１の外径は、例えば、（１．８０〜１．９０ｍｍのうちの何れかの値（特に、１．８５ｍｍ）とすることができる。このため、釘下穴８７０の内径は、例えば、この１．８０〜１．９０ｍｍのうちの何れかの値から０．２ｍｍ〜０．５ｍｍのうちの何れかの値を減じた値とすることができる。
【産業上の利用可能性】
【０１５５】
本発明は、遊技機を製造、販売等する分野において利用できる。
【符号の説明】
【０１５６】
１；遊技機（弾球遊技機）、
２；外枠、
３；中枠（ベース枠部材）、
１０；遊技盤、
１１；遊技領域、
８０；障害釘、
８０ａ；障害釘の先端部、
８０Ｍ；埋設部、
８０Ｔ；突出部、 
５００；前方板状部、
５１１；領域形成部
５７０；釘下穴、
５７２；穴底部、
５８０；後方板状部、
６００；ベース部、
６６０；背板部、
６１１；貫通部、
６２０；装飾シート。
【図１】
2011240191.tif 000003
【図２】
2011240191.tif 000004
【図３】
2011240191.tif 000005
【図４】
2011240191.tif 000006
【図５】
2011240191.tif 000007
【図６】
2011240191.tif 000008
【図７】
2011240191.tif 000009
【図８】
2011240191.tif 000010
【図９】
2011240191.tif 000011
【図１０】
2011240191.tif 000012
【図１１】
2011240191.tif 000013
【図１２】
2011240191.tif 000014
【図１３】
2011240191.tif 000015
【図１４】
2011240191.tif 000016
【図１５】
2011240191.tif 000017
【図１６】
2011240191.tif 000018
【図１７】
2011240191.tif 000019
【図１８】
2011240191.tif 000020
【図１９】
2011240191.tif 000021
【図２０】
2011240191.tif 000022
【図２１】
2011240191.tif 000023
【図２２】
2011240191.tif 000024
【図２３】
2011240191.tif 000025
【図２４】
2011240191.tif 000026
【図２５】
2011240191.tif 000027
【図２６】
2011240191.tif 000028
【図２７】
2011240191.tif 000029
【図２８】
2011240191.tif 000030
【図２９】
2011240191.tif 000031
【図３０】
2011240191.tif 000032
【図３１】
2011240191.tif 000033